(57)【要約】【課題】電池残量を考慮した省エネモードを用い視聴予約番組を放送終了まで視聴可能とする携帯テレビ受信装置を提供する。【解決手段】記憶部１０７に登録された視聴予約情報１０７ａが示す視聴予約番組の放送開始までに消費される電力と該視聴予約番組の放送終了まで受信し提示するために必要な電力とを管理部１０５にて算出し、電池管理部１０３から得た電池１０４の残量を基に、通常モードのままでは該視聴予約番組の放送終了までの受信・提示が不可能と判定した場合、省エネモードに設定する。省エネモードに設定の際、表示部１０８及び／又はスピーカ部１０６からその旨通知可能とする。省エネモード設定中に電池１０４の充電が開始された場合、省エネモードを解除する。視聴予約番組の放送エリア外に移動した場合、視聴予約を取り消し、省エネモード設定中の場合、省エネモードを解除する。省エネモードとして消費電力量が異なる複数のレベルを備える。【選択図】図１
2005142796.tif 000002
【特許請求の範囲】
【請求項１】
放送電波を受信し表示することができる携帯テレビ受信装置において、当該携帯テレビ受信装置全体に供給する電力を蓄積する電池と、該電池の電池残量を測定し管理する電池管理部と、放送電波を受信するアンテナ部及びチューナ部と、受信した放送電波に含まれる放送番組や任意の画像情報や任意の文字情報を提示する表示部と、受信した放送電波に含まれる音声情報や任意の音声情報を再生するスピーカ部と、放送番組に関する番組情報を格納すると共に視聴予約された視聴予約番組に関する視聴予約情報を登録する記憶部と、当該携帯テレビ受信装置全体の動作を制御し、管理する管理部とを具備し、前記管理部は、ユーザにより選択された放送番組の放送時間帯を、前記記憶部に格納されている前記番組情報、もしくは、前記記憶部に登録されている前記視聴予約情報を参照して調査し、該放送番組の放送終了まで受信し提示可能か否かを、前記電池管理部から得られる前記電池残量に基づいて判定し、該放送番組の放送終了まで受信し提示可能か否かを前記表示部及び／又は前記スピーカ部を介してユーザに通知することを特徴とする携帯テレビ受信装置。
【請求項２】
請求項１に記載の携帯テレビ受信装置において、前記管理部は、前記記憶部に視聴予約された視聴予約番組に関する視聴予約情報が登録されている場合であって、該視聴予約情報の視聴予約番組の放送開始までの間に、ユーザから何らかの操作指示が当該携帯テレビ受信装置に対してなされた際に、該操作指示に関する処理を実行することに伴い消費されると予測される電力を消費予測電力として求め、該消費予測電力を消費することにより、前記視聴予約情報の視聴予約番組の放送終了まで受信し提示可能な電池残量が残されていないと判定した場合、該視聴予約番組の放送終了まで受信し提示することができなくなる可能性がある旨を前記表示部及び／又は前記スピーカ部を介してユーザに警告通知することを特徴とする携帯テレビ受信装置。
【請求項３】
請求項２に記載の携帯テレビ受信装置において、前記管理部は、過去になされた各操作指示種別毎に消費された電力を消費電力履歴情報として前記記憶部に記憶し、ユーザからの操作指示に関する処理に伴い消費されると予測される前記消費予測電力を、前記記憶部に記憶された前記消費電力履歴情報に基づいて獲得することを特徴とする携帯テレビ受信装置。
【請求項４】
放送電波を受信し表示することができる携帯テレビ受信装置において、当該携帯テレビ受信装置全体に供給する電力を蓄積する電池と、該電池の電池残量を測定し管理する電池管理部と、放送電波を受信するアンテナ部及びチューナ部と、受信した放送電波に含まれる放送番組や任意の画像情報や任意の文字情報を提示する表示部と、受信した放送電波に含まれる音声情報や任意の音声情報を再生するスピーカ部と、放送番組に関する番組情報を格納すると共に視聴予約された視聴予約番組に関する視聴予約情報を登録する記憶部と、当該携帯テレビ受信装置全体の動作を制御し、管理する管理部とを具備し、前記管理部は、当該携帯テレビ受信装置の動作モードの一つとして、当該携帯テレビ受信装置の消費電力を低減させることが可能な省エネモードを備え、ユーザにより選択された放送番組の放送時間帯を、前記記憶部に格納されている前記番組情報、もしくは、前記記憶部に登録されている前記視聴予約情報を参照して調査し、該放送番組の放送終了まで受信し提示可能か否かを、前記電池管理部から得られる前記電池残量に基づいて判定し、該放送番組の放送終了まで受信し提示可能な電池残量が残されていないと判定した場合、該放送番組の放送開始までに消費される電力、及び、該放送番組の受信及び提示により消費される消費電力を、該放送番組の放送終了まで受信し提示可能な状態にまで低減させるために、省エネモードに設定することを特徴とする携帯テレビ受信装置。
【請求項５】
請求項４に記載の携帯テレビ受信装置において、前記管理部は、省エネモードに設定するのに先立って、省エネモードに設定するか否かを前記表示部及び／又は前記スピーカ部を介してユーザに通知し、ユーザに選択させることを特徴とする携帯テレビ受信装置。
【請求項６】
請求項４又は５に記載の携帯テレビ受信装置において、前記管理部は、前記記憶部に視聴予約された視聴予約番組に関する視聴予約情報を登録する際に、前記電池管理部から得られる現在の電池残量が、たとえ、省エネモードに直ちに設定したとしても、登録しようとする該視聴予約番組の放送終了まで受信し提示可能な電池残量が残されていないと判定した場合、直ちに省エネモードに設定しても該視聴予約番組の放送終了まで受信し提示することができなくなる可能性がある旨を前記表示部及び／又は前記スピーカ部を介して警告通知することを特徴とする携帯テレビ受信装置。
【請求項７】
請求項４乃至６のいずれかに記載の携帯テレビ受信装置において、前記管理部は、前記記憶部に視聴予約された視聴予約番組に関する視聴予約情報が登録されている場合であって、該視聴予約情報の視聴予約番組の放送開始までの間に、ユーザから何らかの操作指示が当該携帯テレビ受信装置に対してなされた際に、現在の動作モードが通常の動作を行なう状態を示す通常モードであった場合、省エネモードに切り替えて設定した際において、該操作指示に関する処理を実行することに伴い消費されると予測される電力を消費予測電力として求め、該消費予測電力を消費することにより、前記視聴予約情報の視聴予約番組の放送終了まで受信し提示可能な電池残量が残されていないと判定した場合、省エネモードに設定したとしても、該視聴予約番組の放送終了まで受信し提示することができなくなる可能性がある旨を前記表示部及び／又は前記スピーカ部を介してユーザに警告通知することを特徴とする携帯テレビ受信装置。
【請求項８】
請求項４乃至６のいずれかに記載の携帯テレビ受信装置において、前記管理部は、前記記憶部に視聴予約された視聴予約番組に関する視聴予約情報が登録されている場合であって、該視聴予約情報の視聴予約番組の放送開始までの間に、ユーザから何らかの操作指示が当該携帯テレビ受信装置に対してなされた際に、現在の動作モードが通常モードか省エネモードかのそれぞれに応じて、該操作指示に関する処理を実行することに伴い消費されると予測される電力を消費予測電力として求め、該消費予測電力を消費することにより、前記視聴予約情報の視聴予約番組の放送終了まで受信し提示可能な電池残量が残されていないと判定した場合、該視聴予約番組の放送終了まで受信し提示することができなくなる可能性がある旨を前記表示部及び／又は前記スピーカ部を介してユーザに警告通知することを特徴とする携帯テレビ受信装置。
【請求項９】
請求項７又は８に記載の携帯テレビ受信装置において、前記管理部は、過去になされた各操作指示種別毎に消費された電力を消費電力履歴情報として前記記憶部に記憶し、ユーザからの操作指示に関する処理に伴い消費されると予測される前記消費予測電力を、前記記憶部に記憶された前記消費電力履歴情報に基づいて獲得することを特徴とする携帯テレビ受信装置。
【請求項１０】
請求項４乃至９のいずれかに記載の携帯テレビ受信装置において、前記管理部は、前記記憶部に視聴予約された視聴予約番組に関する視聴予約情報が登録されている場合であって、該視聴予約情報の視聴予約番組の放送開始までの間に、ユーザから当該携帯テレビ受信装置に対してなされた何らかの操作指示に関する処理、又は、該視聴予約情報の視聴予約番組とは異なる他の放送番組の視聴指示による該他の放送番組の受信及び提示により、該視聴予約情報の視聴予約番組の放送終了まで受信し提示可能な電池残量が残されていないと判定した場合、該操作指示に関する処理、又は、該他の放送番組の受信及び提示を現在の状態のままで行なうか、あるいは、前記視聴予約番組の放送終了まで受信し提示可能な状態にまで消費電力を低減させるために、省エネモードに設定して、前記操作指示に関する処理、又は、前記他の放送番組の受信及び提示を行なうかを前記表示部及び／又は前記スピーカ部を介してユーザに通知し、ユーザに選択させることを特徴とする携帯テレビ受信装置。
【請求項１１】
請求項４及至１０のいずれかに記載の携帯テレビ受信装置において、前記管理部は、当該携帯テレビ受信装置が省エネモードに設定されている状態にあるとき、前記電池管理部により前記電池の充電開始が検知された際に、設定されている省エネモードを解除して、通常モードに復帰させることを特徴とする携帯テレビ受信装置。
【請求項１２】
請求項１１に記載の携帯テレビ受信装置において、前記管理部は、充電開始により省エネモードから通常モードに復帰する際に、該充電開始により省エネモードを解除することを、当該省エネモード設定の対象とされていた視聴予約番組に関する視聴予約情報と共に、前記記憶部の退避領域に一旦退避し、充電終了時に、前記電池管理部から得られた電池残量が、前記記憶部に退避された、当該省エネモード設定の対象とされていた該視聴予約番組の放送終了まで受信し提示可能な電池残量が残されていないと判定した場合、一旦解除した省エネモードに再度設定することを特徴とする携帯テレビ受信装置。
【請求項１３】
請求項４及至１２のいずれかに記載の携帯テレビ受信装置において、前記管理部は、前記記憶部に登録されている視聴予約情報に関する視聴予約番組の放送開始時刻から予め定められた一定の準備時間分遡った時点に至った後、予め定められた一定時間経過するまでの間に、ユーザから何らの操作も入力されない場合、該視聴予約番組を受信し提示することを中止しようとしている旨の警告を示す視聴中止警告を前記表示部及び／又は前記スピーカ部を介してユーザに警告通知することを特徴とする携帯テレビ受信装置。
【請求項１４】
請求項１３に記載の携帯テレビ受信装置において、前記管理部は、前記視聴中止警告を通知した後、予め定められた制限時間を経過するまでの間に、ユーザから何らの操作も入力されない場合、該視聴予約番組を受信し提示することを中止すると共に、当該携帯テレビ受信装置が省エネモードに設定されていた場合には、設定されている省エネモードを解除し、通常モードに復帰することを特徴とする携帯テレビ受信装置。
【請求項１５】
請求項４乃至１２のいずれかに記載の携帯テレビ受信装置において、前記管理部は、前記記憶部に登録されている視聴予約情報に関する視聴予約番組の放送開始時刻に至った際に、該視聴予約番組を受信し提示する動作を開始し、該放送開始時刻から予め定められた一定の準備時間分遡った時点以降、予め定められた一定時間経過するまでの間に、ユーザから何らの操作も入力されない場合、該視聴予約番組を受信し提示する動作を中止すると共に、当該携帯テレビ受信装置が省エネモードに設定されていた場合には、設定されている省エネモードを解除し、通常モードに復帰することを特徴とする携帯テレビ受信装置。
【請求項１６】
請求項１４又は１５に記載の携帯テレビ受信装置において、前記管理部は、現在設定されている省エネモードを解除するのに先立って、あるいは、現在設定されている通常モードを継続するのに先立って、受信及び提示を中止した前記視聴予約番組に関する視聴予約情報の他に、前記記憶部に登録されている視聴予約情報が更に存在しているか否かを調べて、更に視聴予約情報が存在している場合、更に存在している該視聴予約情報に関する視聴予約番組の放送終了まで受信し提示可能な電池残量が通常モードにおいては残されていないと判定した場合には、現在設定されている省エネモードを解除することなくそのまま継続する、あるいは、現在設定されている通常モードを省エネモードに切り替えて設定することを特徴とする携帯テレビ受信装置。
【請求項１７】
請求項１６に記載の携帯テレビ受信装置において、前記電池管理部から得られた現在の電池残量が、たとえ、現在設定されている省エネモードをそのまま継続したとしても、あるいは、現在設定されている通常モードを省エネモードに切り替えて設定したとしても、更に存在している前記視聴予約情報に関する視聴予約番組の放送終了まで受信し提示可能な電池残量が残されていないと判定した場合、省エネモードを継続しても、あるいは、省エネモードに切り替えても、該視聴予約番組の放送終了まで受信し提示することができなくなる可能性がある旨を前記表示部及び／又は前記スピーカ部を介してユーザに警告通知することを特徴とする携帯テレビ受信装置。
【請求項１８】
請求項４及至１７のいずれかに記載の携帯テレビ受信装置において、前記記憶部に視聴予約された視聴予約番組に関する視聴予約情報が登録されている場合であって、該視聴予約情報の視聴予約番組が放送される放送エリアから当該携帯テレビ受信装置が移動して、該視聴予約番組を受信できなくなった場合、前記記憶部の該視聴予約番組に関する視聴予約情報の登録を削除して該視聴予約番組の視聴予約を取り消すと共に、該視聴予約番組の放送終了まで受信し提示可能とするために、省エネモードに設定されていた場合、設定されていた省エネモードを解除して、通常モードに復帰することを特徴とする携帯テレビ受信装置。
【請求項１９】
請求項１８に記載の携帯テレビ受信装置において、前記管理部は、受信可能な放送エリアからの移動により前記視聴予約番組の視聴予約を取り消した旨を、更に、省エネモードを解除した場合は、省エネモードを解除した旨を、前記表示部及び／又は前記スピーカ部を介してユーザに通知することを特徴とする携帯テレビ受信装置。
【請求項２０】
請求項１８又は１９に記載の携帯テレビ受信装置において、前記管理部は、受信可能な放送エリアからの移動により視聴予約が取り消された前記視聴予約番組に関する視聴予約情報を前記記憶部の退避領域に、該視聴予約番組の放送開始時刻に至るまで、あるいは、放送終了時刻が経過するまで、一旦退避し、当該携帯テレビ受信装置が移動して、前記記憶部の退避領域に一旦退避された前記視聴予約情報の視聴予約番組を受信可能な放送エリアにまで移動したことが検知された場合、該視聴予約番組に関する視聴予約情報を前記記憶部に再度登録し直すことを特徴とする携帯テレビ受信装置。
【請求項２１】
請求項２０に記載の携帯テレビ受信装置において、前記管理部は、前記視聴予約番組に関する視聴予約情報を前記記憶部に再度登録し直す際に、該視聴予約番組の放送終了まで受信し提示可能な電池残量が残されていないと判定した場合、該視聴予約番組の放送終了まで受信し提示可能とするために、省エネモードに設定することを特徴とする携帯テレビ受信装置。
【請求項２２】
請求項４及至２１のいずれかに記載の携帯テレビ受信装置において、前記管理部は、過去にユーザが充電を行なっていた日時及び／又は曜日毎の時刻を充電履歴情報として前記記憶部に保存し、該充電履歴情報に基づいて、次回充電が行なわれると予測される日時及び／又は曜日毎の時刻を充電予測時刻として前記記憶部に予め設定することを特徴とする携帯テレビ受信装置。
【請求項２３】
請求項４及至２２のいずれかに記載の携帯テレビ受信装置において、前記管理部は、ユーザから充電を行なう予定の日時として指定された日時及び／又は曜日毎の時刻を充電予測時刻として前記記憶部に予め設定することを特徴とする携帯テレビ受信装置。
【請求項２４】
請求項２２又は２３に記載の携帯テレビ受信装置において、前記管理部は、前記記憶部に視聴予約された視聴予約番組に関する視聴予約情報を登録する場合であって、該視聴予約情報の視聴予約番組の放送終了まで受信し提示可能な電池残量が残されていないと判定して、該視聴予約番組の放送終了まで受信し提示可能とするために、省エネモードに設定せんとする際に、該視聴予約番組の放送開始までの間に、前記充電予測時刻として前記記憶部に予め設定されている日時が存在していた場合には、省エネモードの設定を行なわないことを特徴とする携帯テレビ受信装置。
【請求項２５】
請求項２２乃至２４のいずれかに記載の携帯テレビ受信装置において、前記管理部は、前記記憶部に視聴予約された視聴予約番組に関する視聴予約情報が登録されている場合であって、該視聴予約番組の放送開始までの間に、前記充電予測時刻として前記記憶部に予め設定されている日時が存在していた場合であっても、前記充電予測時刻として設定されている日時に充電がなされなかったか、あるいは、充電がなされたとしても、前記視聴予約情報の視聴予約番組の放送終了まで受信し提示可能な電池残量にまで充電されていないと判定した場合、該視聴予約番組の放送終了まで受信し提示可能とするために、省エネモードに設定することを特徴とする携帯テレビ受信装置。
【請求項２６】
請求項２２乃至２５のいずれかに記載の携帯テレビ受信装置において、前記管理部は、前記充電予測時刻に到達するまでの間に放送される複数の視聴予約番組に関する視聴予約情報が前記記憶部に登録されている場合であって、かつ、前記記憶部に登録されている複数の前記視聴予約情報の視聴予約番組の全てについては受信し提示可能な電池残量が残されていないと判定した場合、全ての視聴予約番組の放送終了まで受信し提示可能とする省エネモードが存在しているか否かを確認し、存在している場合、前記全ての視聴予約番組の放送終了まで受信し提示可能とする省エネモードに設定することを特徴とする携帯テレビ受信装置。
【請求項２７】
請求項２６に記載の携帯テレビ受信装置において、前記管理部は、省エネモードに設定しても、前記全ての視聴予約番組の放送終了まで受信し提示可能とする電池残量が残されていないと判定した場合、前記記憶部に登録されている複数の視聴予約情報全てを前記表示部にリスト表示してユーザに通知し、リスト表示された複数の視聴予約情報の視聴予約番組に関する視聴優先順位をユーザによって設定させることを特徴とする携帯テレビ受信装置。
【請求項２８】
請求項２７に記載の携帯テレビ受信装置において、前記管理部は、ユーザによって設定された視聴優先順位に応じて、優先順位が高く設定されて、受信及び提示可能とされる視聴予約番組に関する視聴予約情報は、前記記憶部に登録した状態のまま維持する一方、優先順位が低く設定されて、受信及び提示が不可能とされる視聴予約番組に関する視聴予約情報は、前記記憶部の登録を削除し、該視聴予約番組の視聴予約を取り消すことを特徴とする携帯テレビ受信装置。
【請求項２９】
請求項２８に記載の携帯テレビ受信装置において、前記管理部は、優先順位が低く設定されたために視聴予約番組の視聴予約を取り消す際に、優先順位が低く設定されたために該視聴予約番組の視聴予約を取り消した旨を前記表示部及び／又は前記スピーカ部を介してユーザに通知することを特徴とする携帯テレビ受信装置。
【請求項３０】
請求項２８又は２９に記載の携帯テレビ受信装置において、前記管理部は、優先順位が低く設定されたために視聴予約番組の視聴予約を取り消す際に、該視聴予約番組に関する視聴予約情報を、前記記憶部の退避領域に、該視聴予約番組の放送開始時刻に至るまで、あるいは、放送終了時刻が経過するまで、一旦退避し、ユーザから該視聴予約番組の優先順位の変更設定要求を受け付けた場合、再度、該退避領域に退避されている該視聴予約番組に関する視聴予約情報と前記記憶部に登録されている視聴予約番組の視聴予約情報とを前記表示部にリスト表示してユーザに通知し、リスト表示された複数の視聴予約情報の視聴予約番組に関する視聴優先順位をユーザによって設定し直すことができることを特徴とする携帯テレビ受信装置。
【請求項３１】
請求項４乃至３０のいずれかに記載の携帯テレビ受信装置において、前記管理部は、前記省エネモードとして、当該携帯テレビ受信装置において消費される消費電力の節約量がそれぞれで異なる複数のレベルを備え、いずれか任意のレベルの省エネモードを選択して設定することができることを特徴とする携帯テレビ受信装置。
【請求項３２】
請求項３１に記載の携帯テレビ受信装置において、前記管理部は、前記記憶部に視聴予約された視聴予約番組に関する視聴予約情報が登録されている場合、該視聴予約情報の視聴予約番組毎の放送開始時刻及び放送終了時刻を前記表示部に画像パターンとして画面表示すると共に、省エネモードが備えている複数のレベルのうち、或る１つのレベルに設定された場合に、該レベルにおいて現在の電池残量で給電継続が可能な時間を示す電池残時間を画像パターンとして画面表示することを特徴とする携帯テレビ受信装置。
【請求項３３】
請求項３２に記載の携帯テレビ受信装置において、前記管理部は、省エネモードが備えている複数のレベルのうち、いずれかのレベルに切り替えて設定される都度、前記表示部に画像パターンとして画面表示する前記電池残時間を切り替えて画面表示することを特徴とする携帯テレビ受信装置。
【請求項３４】
請求項３１乃至３３のいずれかに記載の携帯テレビ受信装置において、前記管理部は、前記記憶部に視聴予約された視聴予約番組に関する視聴予約情報を登録する際に、該視聴予約情報の視聴予約番組の放送終了まで受信し提示可能な電池残量が残されていないと判定した場合、該視聴予約番組の放送終了まで受信し提示可能とする省エネモードのいずれかのレベルを選択して設定することを特徴とする携帯テレビ受信装置。
【請求項３５】
請求項３１乃至３４のいずれかに記載の携帯テレビ受信装置において、前記管理部は、前記記憶部に視聴予約された視聴予約番組に関する視聴予約情報が登録されている場合であって、該視聴予約情報の視聴予約番組が放送開始されるまでの間に、ユーザから何らかの操作指示が当該携帯テレビ受信装置に対してなされることにより、視聴予約された該視聴予約番組の放送終了まで受信し提示可能な電池残量が残されていないと判定した場合、該視聴予約番組の放送終了まで受信し提示可能とする省エネモードのいずれかのレベルを選択して設定することを特徴とする携帯テレビ受信装置。
【請求項３６】
請求項３４又は３５に記載の携帯テレビ受信装置において、前記視聴予約番組の放送終了まで受信し提示可能とする省エネモードのいずれかのレベルを選択して設定した際に、設定された該省エネモードのレベルを前記表示部及び／又は前記スピーカ部を介してユーザに通知することを特徴とする携帯テレビ受信装置。
【請求項３７】
請求項３１乃至３６のいずれかに記載の携帯テレビ受信装置において、前記管理部は、前記記憶部に視聴予約された視聴予約番組に関する視聴予約情報が登録されている場合に、該視聴予約情報の視聴予約番組が放送開始されるまでの間に、省エネモードが備えている複数のレベルのうち、いずれかのレベルに設定変更する指示がユーザからなされることにより、視聴予約された前記視聴予約番組の放送終了まで受信し提示可能な電池残量が残されなくなると判定した場合、ユーザによる省エネモードのレベルの設定変更により、該視聴予約番組の放送終了まで受信し提示することができなくなる可能性がある旨を前記表示部及び／又は前記スピーカ部を介してユーザに警告通知することを特徴とする携帯テレビ受信装置。
【請求項３８】
請求項１乃至３７のいずれかに記載の携帯テレビ受信装置において、前記表示部に警告通知するための警告用アイコンを備え、視聴予約番組の放送終了まで受信し提示することができなくなる可能性がある旨を前記表示部及び／又は前記スピーカ部を介してユーザに警告用メッセージとして警告通知するに当たって、該警告用メッセージを出力すると同時に、あるいは、該警告用メッセージの代わりに、前記警告用アイコンを前記表示部に点滅表示又は点灯して画面表示することを特徴とする携帯テレビ受信装置。
【請求項３９】
請求項１乃至３８のいずれかに記載の携帯テレビ受信装置において、当該携帯テレビ受信装置に警告表示用のＬＥＤを備え、視聴予約番組の放送終了まで受信し提示することができなくなる可能性がある旨を前記表示部及び／又は前記スピーカ部を介してユーザに警告用メッセージとして警告通知するに当たって、該警告用メッセージを出力すると同時に、あるいは、該警告用メッセージの代わりに、警告表示用の前記ＬＥＤを点滅又は点灯させることを特徴とする携帯テレビ受信装置。
【発明の詳細な説明】
【技術分野】
【０００１】
本発明は、携帯テレビ受信装置に関し、特に、省エネ化が可能な携帯テレビ受信装置に関する。本発明に係る携帯テレビ受信装置は、デジタルテレビ放送などを含む放送電波の受信機能を備える携帯電話機やＰＤＡやノートＰＣなど各種の携帯型情報処理装置に好適に適用することができる。
【背景技術】
【０００２】
我が国では、２０００年末からＢＳデジタル放送が開始され、また、２００３年末までには、３大都市圏において地上波デジタル放送の開始が予定されている。デジタル放送は、デジタルハイビジョン映像による高画質化、多チャンネル化、及び、データ放送などによる高機能化に、その特色を有している。更には、携帯端末による地上波デジタル放送受信サービスも開始される予定である。かくのごときデジタル放送サービスの開始によって、ユーザは、携帯電話機やＰＤＡやノートＰＣのような小さなディスプレイであっても、テレビ番組を視聴することが可能となり、更に、多チャンネル化されたデジタル放送を任意に切り替えて視聴することも可能である。
【０００３】
更には、放送衛星や通信衛星から送出される放送電波を携帯端末によって受信し、該放送電波に含まれる放送番組や各種コンテンツを視聴したり、記憶装置へ蓄積したりすることを可能とするモバイル放送サービスも始まり、携帯端末で、種々の静止画、動画、音楽を再生させることができる状況になりつつある。
【０００４】
また、受信するテレビ番組の多チャンネル化に伴い、ユーザは、多くのチャンネルのテレビ番組の中から、自分の好みのテレビ番組を探し出して、選局することを容易化し、円滑に進めることを可能とするために、ＥＰＧ（Ｅｌｅｃｔｒｏｎｉｃ  Ｐｒｏｇｒａｍ  Ｇｕｉｄｅ）などの番組情報が用意されている。
即ち、ＥＰＧを利用して、ディスプレイ上に番組表を表示することにより、自分の好みのジャンルを指定して検索したり、今後放送される先の放送番組に対する視聴予約をしたりすることなども、簡単な操作で行なうことができる。
【０００５】
一方、携帯端末の分野においては、携帯電話機やＰＤＡ、ノートＰＣなど種々のタイプの機器が開発されているが、かかる携帯端末の殆どは、充電式電池が搭載されていて、該充電式電池から電力が供給されて動作するようになっている。一方、電池は電力に限りがあるため、少しでも、消費電力を抑え、できるだけ長い時間の間に亘って、携帯端末が動作可能となるように、種々の電池の節約技術即ち省エネ技術が提案されている。
【０００６】
例えば、特許文献１に示す特開２００３−２１９２９６号公報「携帯型情報処理装置」によると、受信したデジタル放送の画像の画質を調べ、該画質のデータをデコードするのに要する消費電力と電池残量とから視聴可能時間を算出する技術が提案されている。ユーザは視聴する放送番組の画質を意識することにより、より長い時間の視聴が可能となり、結果的に、電池を節約することも可能となる。
【０００７】
また、特許文献２に示す特開２００３−２３４９０号公報「携帯端末、携帯端末における情報表示方法」によると、電池の残量を検出し、予め定められた閾値を下回った場合、画像の表示領域を小さくすることにより、消費電力を抑え、電池を長持ちさせる技術が提案されている。
【０００８】
また、特許文献３に示す特開平１０−２３４０７９号公報「表示機能付き携帯型電話機」によると、電池残量が所定の値以下の時には、表示部分の照明の照度を下げ、電池を長持ちさせる技術が提案されている。
【０００９】
また、特許文献４に示す特開平１１−１８４５７６号公報「電話機能付き携帯通信端末」によると、電池残量が所定の値以下の時には、電力を供給するブロックを限定することにより、消費電力を抑え、電池を長持ちさせる技術が提案されている。
【００１０】
以下に、参照する特許文献の一覧を示す。
【特許文献１】特開２００３−２１９２９６号公報
【特許文献２】特開２００３−２３４９０号公報
【特許文献３】特開平１０−２３４０７９号公報
【特許文献４】特開平１１−１８４５７６号公報
【発明の開示】
【発明が解決しようとする課題】
【００１１】
しかしながら、前述したようないずれの電池の節約方法の場合でも、現在視聴している放送番組のみに関しては、できるだけ長く視聴するように電池の電力供給設定を行なうことができるが、現在の放送番組の放送後に放送される予定である視聴予約した放送番組（視聴予約番組）を視聴する際においては、電池の残量が十分残っているか否かまではわからず、視聴する予定としていた放送番組の開始時には、既に電池の残量が殆ど残っていなく、結果的に、視聴予約番組を最後まで視聴することができなくなる事態が起こり得る。
【００１２】
更に、ユーザは、視聴予約番組が開始されるまでにも、携帯端末に対して種々の操作を行なう可能性が十分に考えられる。しかし、視聴予約番組が開始されるまでの間に、どの程度、電池の使用に気を使って、電池の残量を残せば、視聴予約した視聴予約番組を最後まで十分視聴することができるかについても、従来の技術では把握し難い。
本来、視聴予約をするということは、ユーザが視聴予約をした時点よりも後に確実に或る一定の電力を消費するということが明らかであるが、該視聴予約番組に至るまでに消費可能な電力を計算し、該視聴予約番組の視聴を可能とする電力を確保しようとする機能については、従来の技術としては全く存在していない。
【００１３】
本発明は、かかる事情に鑑みてなされたものであり、携帯電話機やＰＤＡやノートＰＣなどに用いられる携帯テレビ受信装置を使用して、ユーザが或る放送番組の視聴予約をする際に、該携帯テレビ受信装置において、視聴予約時点における電池の残量を測定し、かつ、視聴予約番組の放送開始までに消費される電力と視聴予約番組の放送終了までに消費される電力とを予測することにより、該視聴予約番組の放送終了まで受信し、提示可能な電池残量が残っているか否かを判定した結果、視聴予約番組の放送終了まで受信し、提示可能な電池残量が残されていないと判定された場合には、該携帯テレビ受信装置の動作モードを、消費電力を低減可能な省エネモードに設定することにより、視聴予約番組を最後まで視聴可能とすることを目的としている。
【００１４】
更に、省エネモードに設定したとしても、視聴予約番組を最後まで視聴することができない場合には、その時点で、ユーザに対して、視聴予約番組を最後までは視聴することはできない旨を警告通知することができるようにすることを目的としている。
【００１５】
更には、視聴予約した時点においては、視聴予約番組の放送終了まで受信し、提示可能な十分な電池残量が残っていたとしても、しかる後、視聴予約番組が放送開始されるまでの間に、該携帯テレビ受信装置に対するユーザの何らかの操作がなされることにより、電池の電力を消費してしまい、視聴予約時点では視聴可能と判定されていた視聴予約番組を最後までは視聴することができなくなってしまう可能性がある。かくのごとき事態が発生しないように、ユーザの何らかの操作に関する処理を実行するに当たって、該操作に関する処理によって消費される電力を予測し、現在の電池残量に基づいて、ユーザの該操作に関する処理によって、視聴予約されていた視聴予約番組を最後まで視聴することが可能か否かを事前に判定することを可能とすることも目的としている。
【課題を解決するための手段】
【００１６】
第１の技術手段は、放送電波を受信し表示することができる携帯テレビ受信装置において、当該携帯テレビ受信装置全体に供給する電力を蓄積する電池と、該電池の電池残量を測定し管理する電池管理部と、放送電波を受信するアンテナ部及びチューナ部と、受信した放送電波に含まれる放送番組や任意の画像情報や任意の文字情報を提示する表示部と、受信した放送電波に含まれる音声情報や任意の音声情報を再生するスピーカ部と、放送番組に関する番組情報を格納すると共に視聴予約された視聴予約番組に関する視聴予約情報を登録する記憶部と、当該携帯テレビ受信装置全体の動作を制御し、管理する管理部とを具備し、前記管理部は、ユーザにより選択された放送番組の放送時間帯を、前記記憶部に格納されている前記番組情報、もしくは、前記記憶部に登録されている前記視聴予約情報を参照して調査し、該放送番組の放送終了まで受信し提示可能か否かを、前記電池管理部から得られる前記電池残量に基づいて判定し、該放送番組の放送終了まで受信し提示可能か否かを前記表示部及び／又は前記スピーカ部を介してユーザに通知することを特徴としている。
【００１７】
第２の技術手段は、前記第１の技術手段に記載の携帯テレビ受信装置において、前記管理部は、前記記憶部に視聴予約された視聴予約番組に関する視聴予約情報が登録されている場合であって、該視聴予約情報の視聴予約番組の放送開始までの間に、ユーザから何らかの操作指示が当該携帯テレビ受信装置に対してなされた際に、該操作指示に関する処理を実行することに伴い消費されると予測される電力を消費予測電力として求め、該消費予測電力を消費することにより、前記視聴予約情報の視聴予約番組の放送終了まで受信し提示可能な電池残量が残されていないと判定した場合、該視聴予約番組の放送終了まで受信し提示することができなくなる可能性がある旨を前記表示部及び／又は前記スピーカ部を介してユーザに警告通知することを特徴としている。
【００１８】
第３の技術手段は、前記第２の技術手段に記載の携帯テレビ受信装置において、前記管理部は、過去になされた各操作指示種別毎に消費された電力を消費電力履歴情報として前記記憶部に記憶し、ユーザからの操作指示に関する処理に伴い消費されると予測される前記消費予測電力を、前記記憶部に記憶された前記消費電力履歴情報に基づいて獲得することを特徴としている。
【００１９】
第４の技術手段は、放送電波を受信し表示することができる携帯テレビ受信装置において、当該携帯テレビ受信装置全体に供給する電力を蓄積する電池と、該電池の電池残量を測定し管理する電池管理部と、放送電波を受信するアンテナ部及びチューナ部と、受信した放送電波に含まれる放送番組や任意の画像情報や任意の文字情報を提示する表示部と、受信した放送電波に含まれる音声情報や任意の音声情報を再生するスピーカ部と、放送番組に関する番組情報を格納すると共に視聴予約された視聴予約番組に関する視聴予約情報を登録する記憶部と、当該携帯テレビ受信装置全体の動作を制御し、管理する管理部とを具備し、前記管理部は、当該携帯テレビ受信装置の動作モードの一つとして、当該携帯テレビ受信装置の消費電力を低減させることが可能な省エネモードを備え、ユーザにより選択された放送番組の放送時間帯を、前記記憶部に格納されている前記番組情報、もしくは、前記記憶部に登録されている前記視聴予約情報を参照して調査し、該放送番組の放送終了まで受信し提示可能か否かを、前記電池管理部から得られる前記電池残量に基づいて判定し、該放送番組の放送終了まで受信し提示可能な電池残量が残されていないと判定した場合、該放送番組の放送開始までに消費される電力、及び、該放送番組の受信及び提示により消費される消費電力を、該放送番組の放送終了まで受信し提示可能な状態にまで低減させるために、省エネモードに設定することを特徴としている。
【００２０】
第５の技術手段は、前記第４の技術手段に記載の携帯テレビ受信装置において、前記管理部は、省エネモードに設定するのに先立って、省エネモードに設定するか否かを前記表示部及び／又は前記スピーカ部を介してユーザに通知し、ユーザに選択させることを特徴としている。
【００２１】
第６の技術手段は、前記第４又は第５の技術手段に記載の携帯テレビ受信装置において、前記管理部は、前記記憶部に視聴予約された視聴予約番組に関する視聴予約情報を登録する際に、前記電池管理部から得られる現在の電池残量が、たとえ、省エネモードに直ちに設定したとしても、登録しようとする該視聴予約番組の放送終了まで受信し提示可能な電池残量が残されていないと判定した場合、直ちに省エネモードに設定しても該視聴予約番組の放送終了まで受信し提示することができなくなる可能性がある旨を前記表示部及び／又は前記スピーカ部を介して警告通知することを特徴としている。
【００２２】
第７の技術手段は、前記第４乃至第６の技術手段のいずれかに記載の携帯テレビ受信装置において、前記管理部は、前記記憶部に視聴予約された視聴予約番組に関する視聴予約情報が登録されている場合であって、該視聴予約情報の視聴予約番組の放送開始までの間に、ユーザから何らかの操作指示が当該携帯テレビ受信装置に対してなされた際に、現在の動作モードが通常の動作を行なう状態を示す通常モードであった場合、省エネモードに切り替えて設定した際において、該操作指示に関する処理を実行することに伴い消費されると予測される電力を消費予測電力として求め、該消費予測電力を消費することにより、前記視聴予約情報の視聴予約番組の放送終了まで受信し提示可能な電池残量が残されていないと判定した場合、省エネモードに設定したとしても、該視聴予約番組の放送終了まで受信し提示することができなくなる可能性がある旨を前記表示部及び／又は前記スピーカ部を介してユーザに警告通知することを特徴としている。
【００２３】
第８の技術手段は、前記第４乃至第６の技術手段のいずれかに記載の携帯テレビ受信装置において、前記管理部は、前記記憶部に視聴予約された視聴予約番組に関する視聴予約情報が登録されている場合であって、該視聴予約情報の視聴予約番組の放送開始までの間に、ユーザから何らかの操作指示が当該携帯テレビ受信装置に対してなされた際に、現在の動作モードが通常モードか省エネモードかのそれぞれに応じて、該操作指示に関する処理を実行することに伴い消費されると予測される電力を消費予測電力として求め、該消費予測電力を消費することにより、前記視聴予約情報の視聴予約番組の放送終了まで受信し提示可能な電池残量が残されていないと判定した場合、該視聴予約番組の放送終了まで受信し提示することができなくなる可能性がある旨を前記表示部及び／又は前記スピーカ部を介してユーザに警告通知することを特徴としている。
【００２４】
第９の技術手段は、前記第７又は第８の技術手段に記載の携帯テレビ受信装置において、前記管理部は、過去になされた各操作指示種別毎に消費された電力を消費電力履歴情報として前記記憶部に記憶し、ユーザからの操作指示に関する処理に伴い消費されると予測される前記消費予測電力を、前記記憶部に記憶された前記消費電力履歴情報に基づいて獲得することを特徴としている。
【００２５】
第１０の技術手段は、前記第４乃至第９の技術手段のいずれかに記載の携帯テレビ受信装置において、前記管理部は、前記記憶部に視聴予約された視聴予約番組に関する視聴予約情報が登録されている場合であって、該視聴予約情報の視聴予約番組の放送開始までの間に、ユーザから当該携帯テレビ受信装置に対してなされた何らかの操作指示に関する処理、又は、該視聴予約情報の視聴予約番組とは異なる他の放送番組の視聴指示による該他の放送番組の受信及び提示により、該視聴予約情報の視聴予約番組の放送終了まで受信し提示可能な電池残量が残されていないと判定した場合、該操作指示に関する処理、又は、該他の放送番組の受信及び提示を現在の状態のままで行なうか、あるいは、前記視聴予約番組の放送終了まで受信し提示可能な状態にまで消費電力を低減させるために、省エネモードに設定して、前記操作指示に関する処理、又は、前記他の放送番組の受信及び提示を行なうかを前記表示部及び／又は前記スピーカ部を介してユーザに通知し、ユーザに選択させることを特徴としている。
【００２６】
第１１の技術手段は、前記第４乃至第１０の技術手段のいずれかに記載の携帯テレビ受信装置において、前記管理部は、当該携帯テレビ受信装置が省エネモードに設定されている状態にあるとき、前記電池管理部により前記電池の充電開始が検知された際に、設定されている省エネモードを解除して、通常モードに復帰させることを特徴としている。
【００２７】
第１２の技術手段は、前記第１１の技術手段に記載の携帯テレビ受信装置において、前記管理部は、充電開始により省エネモードから通常モードに復帰する際に、該充電開始により省エネモードを解除することを、当該省エネモード設定の対象とされていた視聴予約番組に関する視聴予約情報と共に、前記記憶部の退避領域に一旦退避し、充電終了時に、前記電池管理部から得られた電池残量が、前記記憶部に退避された、当該省エネモード設定の対象とされていた該視聴予約番組の放送終了まで受信し提示可能な電池残量が残されていないと判定した場合、一旦解除した省エネモードに再度設定することを特徴としている。
【００２８】
第１３の技術手段は、前記第４乃至第１２の技術手段のいずれかに記載の携帯テレビ受信装置において、前記管理部は、前記記憶部に登録されている視聴予約情報に関する視聴予約番組の放送開始時刻から予め定められた一定の準備時間分遡った時点に至った後、予め定められた一定時間経過するまでの間に、ユーザから何らの操作も入力されない場合、該視聴予約番組を受信し提示することを中止しようとしている旨の警告を示す視聴中止警告を前記表示部及び／又は前記スピーカ部を介してユーザに警告通知することを特徴としている。
【００２９】
第１４の技術手段は、前記第１３の技術手段に記載の携帯テレビ受信装置において、前記管理部は、前記視聴中止警告を通知した後、予め定められた制限時間を経過するまでの間に、ユーザから何らの操作も入力されない場合、該視聴予約番組を受信し提示することを中止すると共に、当該携帯テレビ受信装置が省エネモードに設定されていた場合には、設定されている省エネモードを解除し、通常モードに復帰することを特徴としている。
【００３０】
第１５の技術手段は、前記第４乃至第１２の技術手段のいずれかに記載の携帯テレビ受信装置において、前記管理部は、前記記憶部に登録されている視聴予約情報に関する視聴予約番組の放送開始時刻に至った際に、該視聴予約番組を受信し提示する動作を開始し、該放送開始時刻から予め定められた一定の準備時間分遡った時点以降、予め定められた一定時間経過するまでの間に、ユーザから何らの操作も入力されない場合、該視聴予約番組を受信し提示する動作を中止すると共に、当該携帯テレビ受信装置が省エネモードに設定されていた場合には、設定されている省エネモードを解除し、通常モードに復帰することを特徴としている。
【００３１】
第１６の技術手段は、前記第１４又は第１５の技術手段に記載の携帯テレビ受信装置において、前記管理部は、現在設定されている省エネモードを解除するのに先立って、あるいは、現在設定されている通常モードを継続するのに先立って、受信及び提示を中止した前記視聴予約番組に関する視聴予約情報の他に、前記記憶部に登録されている視聴予約情報が更に存在しているか否かを調べて、更に視聴予約情報が存在している場合、更に存在している該視聴予約情報に関する視聴予約番組の放送終了まで受信し提示可能な電池残量が通常モードにおいては残されていないと判定した場合には、現在設定されている省エネモードを解除することなくそのまま継続する、あるいは、現在設定されている通常モードを省エネモードに切り替えて設定することを特徴としている。
【００３２】
第１７の技術手段は、前記第１６の技術手段に記載の携帯テレビ受信装置において、前記電池管理部から得られた現在の電池残量が、たとえ、現在設定されている省エネモードをそのまま継続したとしても、あるいは、現在設定されている通常モードを省エネモードに切り替えて設定したとしても、更に存在している前記視聴予約情報に関する視聴予約番組の放送終了まで受信し提示可能な電池残量が残されていないと判定した場合、省エネモードを継続しても、あるいは、省エネモードに切り替えても、該視聴予約番組の放送終了まで受信し提示することができなくなる可能性がある旨を前記表示部及び／又は前記スピーカ部を介してユーザに警告通知することを特徴としている。
【００３３】
第１８の技術手段は、前記第４乃至第１７の技術手段のいずれかに記載の携帯テレビ受信装置において、前記記憶部に視聴予約された視聴予約番組に関する視聴予約情報が登録されている場合であって、該視聴予約情報の視聴予約番組が放送される放送エリアから当該携帯テレビ受信装置が移動して、該視聴予約番組を受信できなくなった場合、前記記憶部の該視聴予約番組に関する視聴予約情報の登録を削除して該視聴予約番組の視聴予約を取り消すと共に、該視聴予約番組の放送終了まで受信し提示可能とするために、省エネモードに設定されていた場合、設定されていた省エネモードを解除して、通常モードに復帰することを特徴としている。
【００３４】
第１９の技術手段は、前記第１８の技術手段に記載の携帯テレビ受信装置において、前記管理部は、受信可能な放送エリアからの移動により前記視聴予約番組の視聴予約を取り消した旨を、更に、省エネモードを解除した場合は、省エネモードを解除した旨を、前記表示部及び／又は前記スピーカ部を介してユーザに通知することを特徴としている。
【００３５】
第２０の技術手段は、前記第１８又は第１９の技術手段に記載の携帯テレビ受信装置において、前記管理部は、受信可能な放送エリアからの移動により視聴予約が取り消された前記視聴予約番組に関する視聴予約情報を前記記憶部の退避領域に、該視聴予約番組の放送開始時刻に至るまで、あるいは、放送終了時刻が経過するまで、一旦退避し、当該携帯テレビ受信装置が移動して、前記記憶部の退避領域に一旦退避された前記視聴予約情報の視聴予約番組を受信可能な放送エリアにまで移動したことが検知された場合、該視聴予約番組に関する視聴予約情報を前記記憶部に再度登録し直すことを特徴としている。
【００３６】
第２１の技術手段は、前記第２０の技術手段に記載の携帯テレビ受信装置において、前記管理部は、前記視聴予約番組に関する視聴予約情報を前記記憶部に再度登録し直す際に、該視聴予約番組の放送終了まで受信し提示可能な電池残量が残されていないと判定した場合、該視聴予約番組の放送終了まで受信し提示可能とするために、省エネモードに設定することを特徴としている。
【００３７】
第２２の技術手段は、前記第４乃至第２１の技術手段のいずれかに記載の携帯テレビ受信装置において、前記管理部は、過去にユーザが充電を行なっていた日時及び／又は曜日毎の時刻を充電履歴情報として前記記憶部に保存し、該充電履歴情報に基づいて、次回充電が行なわれると予測される日時及び／又は曜日毎の時刻を充電予測時刻として前記記憶部に予め設定することを特徴としている。
【００３８】
第２３の技術手段は、前記第４乃至第２２の技術手段のいずれかに記載の携帯テレビ受信装置において、前記管理部は、ユーザから充電を行なう予定の日時として指定された日時及び／又は曜日毎の時刻を充電予測時刻として前記記憶部に予め設定することを特徴としている。
【００３９】
第２４の技術手段は、前記第２２又は第２３の技術手段に記載の携帯テレビ受信装置において、前記管理部は、前記記憶部に視聴予約された視聴予約番組に関する視聴予約情報を登録する場合であって、該視聴予約情報の視聴予約番組の放送終了まで受信し提示可能な電池残量が残されていないと判定して、該視聴予約番組の放送終了まで受信し提示可能とするために、省エネモードに設定せんとする際に、該視聴予約番組の放送開始までの間に、前記充電予測時刻として前記記憶部に予め設定されている日時が存在していた場合には、省エネモードの設定を行なわないことを特徴としている。
【００４０】
第２５の技術手段は、前記第２２乃至第２４の技術手段のいずれかに記載の携帯テレビ受信装置において、前記管理部は、前記記憶部に視聴予約された視聴予約番組に関する視聴予約情報が登録されている場合であって、該視聴予約番組の放送開始までの間に、前記充電予測時刻として前記記憶部に予め設定されている日時が存在していた場合であっても、前記充電予測時刻として設定されている日時に充電がなされなかったか、あるいは、充電がなされたとしても、前記視聴予約情報の視聴予約番組の放送終了まで受信し提示可能な電池残量にまで充電されていないと判定した場合、該視聴予約番組の放送終了まで受信し提示可能とするために、省エネモードに設定することを特徴としている。
【００４１】
第２６の技術手段は、前記第２２乃至第２５の技術手段のいずれかに記載の携帯テレビ受信装置において、前記管理部は、前記充電予測時刻に到達するまでの間に放送される複数の視聴予約番組に関する視聴予約情報が前記記憶部に登録されている場合であって、かつ、前記記憶部に登録されている複数の前記視聴予約情報の視聴予約番組の全てについては受信し提示可能な電池残量が残されていないと判定した場合、全ての視聴予約番組の放送終了まで受信し提示可能とする省エネモードが存在しているか否かを確認し、存在している場合、前記全ての視聴予約番組の放送終了まで受信し提示可能とする省エネモードに設定することを特徴としている。
【００４２】
第２７の技術手段は、前記第２６の技術手段に記載の携帯テレビ受信装置において、前記管理部は、省エネモードに設定しても、前記全ての視聴予約番組の放送終了まで受信し提示可能とする電池残量が残されていないと判定した場合、前記記憶部に登録されている複数の視聴予約情報全てを前記表示部にリスト表示してユーザに通知し、リスト表示された複数の視聴予約情報の視聴予約番組に関する視聴優先順位をユーザによって設定させることを特徴としている。
【００４３】
第２８の技術手段は、前記第２７の技術手段に記載の携帯テレビ受信装置において、前記管理部は、ユーザによって設定された視聴優先順位に応じて、優先順位が高く設定されて、受信及び提示可能とされる視聴予約番組に関する視聴予約情報は、前記記憶部に登録した状態のまま維持する一方、優先順位が低く設定されて、受信及び提示が不可能とされる視聴予約番組に関する視聴予約情報は、前記記憶部の登録を削除し、該視聴予約番組の視聴予約を取り消すことを特徴としている。
【００４４】
第２９の技術手段は、前記第２８の技術手段に記載の携帯テレビ受信装置において、前記管理部は、優先順位が低く設定されたために視聴予約番組の視聴予約を取り消す際に、優先順位が低く設定されたために該視聴予約番組の視聴予約を取り消した旨を前記表示部及び／又は前記スピーカ部を介してユーザに通知することを特徴としている。
【００４５】
第３０の技術手段は、前記第２８又は第２９の技術手段に記載の携帯テレビ受信装置において、前記管理部は、優先順位が低く設定されたために視聴予約番組の視聴予約を取り消す際に、該視聴予約番組に関する視聴予約情報を、前記記憶部の退避領域に、該視聴予約番組の放送開始時刻に至るまで、あるいは、放送終了時刻が経過するまで、一旦退避し、ユーザから該視聴予約番組の優先順位の変更設定要求を受け付けた場合、再度、該退避領域に退避されている該視聴予約番組に関する視聴予約情報と前記記憶部に登録されている視聴予約番組の視聴予約情報とを前記表示部にリスト表示してユーザに通知し、リスト表示された複数の視聴予約情報の視聴予約番組に関する視聴優先順位をユーザによって設定し直すことができることを特徴としている。
【００４６】
第３１の技術手段は、前記第４乃至第３０の技術手段のいずれかに記載の携帯テレビ受信装置において、前記管理部は、前記省エネモードとして、当該携帯テレビ受信装置において消費される消費電力の節約量がそれぞれで異なる複数のレベルを備え、いずれか任意のレベルの省エネモードを選択して設定することができることを特徴としている。
【００４７】
第３２の技術手段は、前記第３１の技術手段に記載の携帯テレビ受信装置において、前記管理部は、前記記憶部に視聴予約された視聴予約番組に関する視聴予約情報が登録されている場合、該視聴予約情報の視聴予約番組毎の放送開始時刻及び放送終了時刻を前記表示部に画像パターンとして画面表示すると共に、省エネモードが備えている複数のレベルのうち、或る１つのレベルに設定された場合に、該レベルにおいて現在の電池残量で給電継続が可能な時間を示す電池残時間を画像パターンとして画面表示することを特徴としている。
【００４８】
第３３の技術手段は、前記第３２の技術手段に記載の携帯テレビ受信装置において、前記管理部は、省エネモードが備えている複数のレベルのうち、いずれかのレベルに切り替えて設定される都度、前記表示部に画像パターンとして画面表示する前記電池残時間を切り替えて画面表示することを特徴としている。
【００４９】
第３４の技術手段は、前記第３１乃至第３３の技術手段のいずれかに記載の携帯テレビ受信装置において、前記管理部は、前記記憶部に視聴予約された視聴予約番組に関する視聴予約情報を登録する際に、該視聴予約情報の視聴予約番組の放送終了まで受信し提示可能な電池残量が残されていないと判定した場合、該視聴予約番組の放送終了まで受信し提示可能とする省エネモードのいずれかのレベルを選択して設定することを特徴としている。
【００５０】
第３５の技術手段は、前記第３１乃至第３４の技術手段のいずれかに記載の携帯テレビ受信装置において、前記管理部は、前記記憶部に視聴予約された視聴予約番組に関する視聴予約情報が登録されている場合であって、該視聴予約情報の視聴予約番組が放送開始されるまでの間に、ユーザから何らかの操作指示が当該携帯テレビ受信装置に対してなされることにより、視聴予約された該視聴予約番組の放送終了まで受信し提示可能な電池残量が残されていないと判定した場合、該視聴予約番組の放送終了まで受信し提示可能とする省エネモードのいずれかのレベルを選択して設定することを特徴としている。
【００５１】
第３６の技術手段は、前記第３４又は第３５の技術手段に記載の携帯テレビ受信装置において、前記視聴予約番組の放送終了まで受信し提示可能とする省エネモードのいずれかのレベルを選択して設定した際に、設定された該省エネモードのレベルを前記表示部及び／又は前記スピーカ部を介してユーザに通知することを特徴としている。
【００５２】
第３７の技術手段は、前記第３１乃至第３６の技術手段のいずれかに記載の携帯テレビ受信装置において、前記管理部は、前記記憶部に視聴予約された視聴予約番組に関する視聴予約情報が登録されている場合に、該視聴予約情報の視聴予約番組が放送開始されるまでの間に、省エネモードが備えている複数のレベルのうち、いずれかのレベルに設定変更する指示がユーザからなされることにより、視聴予約された前記視聴予約番組の放送終了まで受信し提示可能な電池残量が残されなくなると判定した場合、ユーザによる省エネモードのレベルの設定変更により、該視聴予約番組の放送終了まで受信し提示することができなくなる可能性がある旨を前記表示部及び／又は前記スピーカ部を介してユーザに警告通知することを特徴としている。
【００５３】
第３８の技術手段は、前記第１乃至第３７の技術手段のいずれかに記載の携帯テレビ受信装置において、前記表示部に警告通知するための警告用アイコンを備え、視聴予約番組の放送終了まで受信し提示することができなくなる可能性がある旨を前記表示部及び／又は前記スピーカ部を介してユーザに警告用メッセージとして警告通知するに当たって、該警告用メッセージを出力すると同時に、あるいは、該警告用メッセージの代わりに、前記警告用アイコンを前記表示部に点滅表示又は点灯して画面表示することを特徴としている。
【００５４】
第３９の技術手段は、前記第１乃至第３８の技術手段のいずれかに記載の携帯テレビ受信装置において、当該携帯テレビ受信装置に警告表示用のＬＥＤを備え、視聴予約番組の放送終了まで受信し提示することができなくなる可能性がある旨を前記表示部及び／又は前記スピーカ部を介してユーザに警告用メッセージとして警告通知するに当たって、該警告用メッセージを出力すると同時に、あるいは、該警告用メッセージの代わりに、警告表示用の前記ＬＥＤを点滅又は点灯させることを特徴としている。  
【発明の効果】
【００５５】
以上のような各技術手段から構成される本発明に係る携帯テレビ受信装置によれば、以下のごとき効果が得られる。
即ち、充電式の電池により給電される携帯電話機やＰＤＡやノートＰＣなどの携帯テレビ受信装置を用いてテレビ放送番組を視聴予約する際に、現在の電池の残量と、視聴予約番組の放送開始までに消費されるであろうと予測される消費電力と、該視聴予約番組の最後までの視聴に必要とする電力と、に基づいて、該視聴予約番組の最後まで視聴が可能か否かを判定して、該判定結果をユーザに通知することが可能であるので、視聴が不可能と判定された場合には、必要に応じて、充電を行なったり、操作内容を変更したりすることにより、より確実に視聴予約番組を視聴することが可能である。
【００５６】
更に、視聴が不可能と判定された場合には、消費電力を低減可能な省エネモードに動作モードを自動的に切り替えて設定することが可能であるので、より確実に視聴予約番組を視聴することが可能である。
【００５７】
更に、電池の充電が実行される充電予測時刻を予測することが可能であり、該充電予測時刻に基づいて、当該携帯テレビ受信装置の状態を操作性を含めて適切な状態に自動的に調整して設定することが可能であり、更には、視聴予約番組が放送される放送エリアからの移動が生じた場合においても、当該携帯テレビ受信装置の状態を操作性を含めて適切な状態に自動的に調整して設定することが可能であり、より快適に当該携帯テレビ受信装置を使用することが可能となる。
【発明を実施するための最良の形態】
【００５８】
本発明に係る携帯テレビ受信装置は、放送電波を受信し表示することができる携帯テレビ受信装置において、当該携帯テレビ受信装置全体に供給する電力を蓄積する電池と、該電池の電池残量を測定し管理する電池管理部と、放送電波を受信するアンテナ部及びチューナ部と、受信した放送電波に含まれる放送番組や任意の画像情報や任意の文字情報を提示する表示部と、受信した放送電波に含まれる音声情報や任意の音声情報を再生するスピーカ部と、放送番組に関する番組情報を格納すると共に視聴予約された視聴予約番組に関する視聴予約情報を登録する記憶部と、当該携帯テレビ受信装置全体の動作を制御し、管理する管理部とを具備している。
【００５９】
ここで、前記管理部は、ユーザにより選択された放送番組の放送時間帯を、前記記憶部に格納されている前記番組情報、もしくは、前記記憶部に登録されている前記視聴予約情報を参照して調査し、該放送番組の放送終了まで受信し提示可能か否かを、前記電池管理部から得られる前記電池残量に基づいて判定し、該放送番組の放送終了まで受信し提示可能か否かを前記表示部及び／又は前記スピーカ部を介してユーザに通知したり、あるいは、該放送番組の放送終了まで受信し提示可能な電池残量が残されていないと判定した場合、該放送番組の放送終了まで受信し提示可能な状態にまで消費電力を低減させるために、当該携帯テレビ受信装置の消費電力を低減させることが可能な省エネモードに設定することを可能としている。
【００６０】
もって、充電式の電池により給電される携帯電話機やＰＤＡやノートＰＣなどの携帯テレビ受信装置を用いてテレビ放送番組を視聴予約する際に、現在の電池残量と、視聴予約番組の放送開始までに消費されるであろうと予測される消費電力と、該視聴予約番組の最後までの視聴に必要とする電力と、に基づいて、該視聴予約番組の最後まで視聴が可能か否かを判定して、該判定結果をユーザに通知することが可能であるので、視聴が不可能と判定された場合には、必要に応じて、充電を行なったり、操作内容を変更したりすることにより、あるいは、消費電力を低減可能な省エネモードに動作モードを自動的に切り替えて設定することが可能であるので、より確実に視聴予約番組を視聴することが可能である。
【００６１】
以下に、本発明に係る携帯テレビ受信装置の実施形態の一例について、図面を参照しながら説明する。まず、本発明に係る携帯テレビ受信装置の概略構成について、図１を用いて、その一例を説明する。ここで、図１は、本発明に係る携帯テレビ受信装置の基本的な動作原理を説明するための概略構成例を示すブロック構成図である。図１に示す携帯テレビ受信装置１００は、地上デジタル放送波を含む放送電波を受信するためのアンテナ部１０１及びアンテナ部１０１にて受信した放送電波をチューニングするチューナ部１０２を備えており、例えば、デジタル放送を受信した場合は、受信放送電波のチューニングや受信した変調波からＭＰＥＧデータへの復調を行なう。
【００６２】
また、携帯テレビ受信装置１００は、図１の各回路部に示す各モジュールから得られる各種のデータや情報を処理し、携帯テレビ受信装置１００全体の動作を制御し、管理するための管理部１０５を備えている。デジタル放送を受信した場合、管理部１０５は、チューナ部１０２から送られてくるＭＰＥＧデータのデコードを行ない、各ＭＰＥＧデータ内に含まれる音声データと映像データとを復元する。
【００６３】
携帯テレビ受信装置１００は、更に、受信した放送電波に含まれている放送番組の映像や、あるいは、任意の画像情報や映像情報や文字情報、などの各種情報を画面に提示する表示部１０８、及び、受信した放送電波に含まれている音声情報や任意の音声情報を再生して提示するスピーカ部１０６を備えており、管理部１０５により、受信した放送電波を復元した映像データやその他の表示情報、及び、放送電波を復元した音声データやその他の音声情報をユーザに提示する。ここに、表示部１０８としては、液晶表示パネルやプラズマディスプレイなどのフラットパネル表示装置を用いることができる。
【００６４】
また、表示部１０８やスピーカ部１０６は、例えば、ユーザが選択した放送番組が、放送終了するまで、チューナ部１０２で受信し、表示部１０８やスピーカ部１０６から提示することが可能となる電力が、電池管理部１０３から得られた電池１０４の残量として残っていないことが管理部１０５により検知された場合、その旨をユーザに対して警告通知したりするような、ユーザに対する各種の提示情報を出力するためにも用いられる。更に、表示部１０８は、ユーザに対して警告通知するために点灯させたり点滅させて状態表示を行なう警告用アイコン１０８ａを画面表示することも可能である。
また、携帯テレビ受信装置１００は、ユーザに対して警告通知するために、警告表示用のＬＥＤ１１０を別途備えることも可能である。
【００６５】
携帯テレビ受信装置１００は、更に、ユーザからの視聴番組の選択や視聴予約や充電指示などの各種の操作指示を受け付ける入力部１０９、各種情報を記憶する記憶部１０７を備えている。
【００６６】
記憶部１０７には、例えば、ユーザが視聴予約した視聴予約番組に関する番組情報である視聴予約情報１０７ａを登録したり、放送電波などから受信したＥＰＧ情報即ち番組情報１０７ｂを格納したり、ユーザの過去になされた各操作指示種別毎に消費された電力の履歴を示す消費電力履歴情報１０７ｃを記憶したり、過去に充電がなされた日時及び／又は曜日毎の時刻の履歴を示す充電履歴情報１０７ｄを保存したり、次回充電が行なわれると予測される日時及び／又は曜日毎の時刻を示す充電予測時刻１０７ｅを予め設定したり、その他各種の制御用情報を設定したりすることができる。更に、記憶部１０７には、登録した視聴予約情報１０７ａや各種の情報を一旦退避しておく退避領域１０７ｆも備えられている。
【００６７】
携帯テレビ受信装置１００は、更に、当該携帯テレビ受信装置１００全体に供給する電力を蓄積する電池１０４及び該電池１０４の電池残量の測定や管理を司る電池管理部１０３を備えており、外部電源からの電池１０４に対する充電も電池管理部１０３を介して行なわれ、電池管理部１０３は電池１０４が充電中の状態にあるか否かを管理部１０５に対して通知することができる。更に、電池管理部１０３は、電池１０４の現在の電池残量を調べ、該電池残量の情報を管理部１０５に提供することができる。
【００６８】
また、管理部１０５は、携帯テレビ受信装置１００の動作モードとして、通常の動作を行なう通常モードの他に、携帯テレビ受信装置１００の消費電力を低減させることが可能な省エネモードを備え、省エネモードに設定することにより、電池１０４の電池残量の消費量を節約することができる。また、該省エネモードとしては、携帯テレビ受信装置１００において消費される消費電力量をそれぞれで異なる複数のレベルを備え、管理部１０５は、いずれか任意のレベルの省エネモードを選択して設定することも可能である。
【００６９】
次に、図１に示す本発明に係る携帯テレビ受信装置１００の動作について、第１実施形態乃至第９実施形態を順次示して、順を追って説明していく。
〔第１実施形態〕
まず、図１に示す本発明に係る携帯テレビ受信装置１００の動作について、第１実施形態を図３のフローチャートを用いて説明する。ここに、図３は、本発明に係る携帯テレビ受信装置１００の第１実施形態乃至後述する第２，３実施形態における動作を説明するためのフローチャートである。なお、図３のフローチャートにおいては、第１実施形態に関連する処理については、実線部として示し、後述する第２，３実施形態に関連する処理については破線部として示している。
【００７０】
ユーザが記憶部１０７に格納されている番組情報１０７ｂを用いて例えば地上デジタル放送として放送されている放送番組を視聴予約すると、図３のフローチャートの動作が起動される。最初に、管理部１０５は、携帯テレビ受信装置１００の電池１０４が現在充電中であるか否かを電池管理部１０３からの情報に基づいて判定する（ステップＳ３０１）。ここで、現在充電中であると判定した場合（ステップＳ３０１のＹＥＳ）、ステップＳ３０６に移行して、管理部１０５は、ユーザから指示された放送番組の視聴予約をそのまま実行し、該視聴予約番組に関する視聴予約情報１０７ａを記憶部１０７に記録して登録する（ステップＳ３０６）。
【００７１】
現在充電中ではないと判定した場合は（ステップＳ３０１のＮＯ）、管理部１０５は、記憶部１０７の番組情報１０７ｂ、もしくは、記憶部１０７に登録された視聴予約情報１０７ａを参照して、視聴予約しようとしている放送番組の放送時間帯即ち放送開始時刻と放送終了時刻とを調査し、更には、電池管理部１０３を介して、電池１０４に残されている現在の電池残量情報を取得する（ステップＳ３０２）。管理部１０５は、次いで、当該携帯テレビ受信装置１００が、何らの操作も行なわれずに、待機状態のまま置かれている場合に、視聴予約しようとしている放送番組の放送開始時刻に到達するまでに消費するであろう電池１０４の待機中消費電力を予測する（ステップＳ３０３）。
【００７２】
次いで、管理部１０５は、現在の動作モードのままで、ステップＳ３０２において取得された電池１０４の現在の電池残量から、ステップＳ３０３により予測された待機中消費電力を差し引いた、残りの電池１０４の電池残量を使って、視聴予約の指示がなされた視聴予約番組の放送終了までの受信と提示動作が可能か否か、即ち、該視聴予約番組を最後まで視聴することが可能か否かを判定する（ステップＳ３０４）。該視聴予約番組の視聴が最後まで可能であると判定した場合には（ステップＳ３０４のＹＥＳ）、ステップＳ３０６に移行して、管理部１０５は、ユーザから指示された番組の視聴予約をそのまま実行し、該視聴予約番組に関する視聴予約情報１０７ａを記憶部１０７に記録し登録する（ステップＳ３０６）。
【００７３】
一方、該視聴予約番組の視聴が不可能であると判定した場合には（ステップＳ３０４のＮＯ）、表示部１０８及び／又はスピーカ部１０６を用いて、ユーザに対して、該放送番組の放送終了まで受信し提示することができなくなる可能性がある旨を警告通知した上で（ステップＳ３０５）、管理部１０５は、ユーザから指示された番組の視聴予約をそのまま実行し、該視聴予約番組に関する視聴予約情報１０７ａを記憶部１０７に記録し登録する（ステップＳ３０６）。
また、ステップＳ３０４において、視聴予約番組の視聴が最後まで可能であると判定した場合であっても、その旨を表示部１０８及び／又はスピーカ部１０６を介してユーザに対して通知するようにしても良い。
【００７４】
なお、前述の例においては、まだ放送されていない先の放送番組を視聴予約する場合について説明を行なったが、現在放送されている放送番組について受信して視聴する場合に対しても全く同様の効果を得ることができる。即ち、現在放送されている放送番組を視聴する場合については、ステップＳ３０３に示した放送番組の開始までの待機中消費電力を考慮せずに、現在時刻から当該放送番組の放送終了時刻までの間の受信及び提示に必要な電力、即ち、当該放送番組の最後までの今後の視聴に必要とする電力のみを考慮すれば良い。
【００７５】
このように、或る放送番組の視聴予約をするときに、又は、視聴を開始するときに、電池１０４の電池残量から当該放送番組の放送終了まで受信及び提示が可能か否か、即ち、視聴が可能か否かを予めユーザに通知することにより、ユーザは視聴したいと思っていたにも関わらず、放送番組の開始前又は放送番組の視聴中に、突然、電池１０４の電池残量不足により、視聴を断念してしまうという事態を未然に防ぐことができる。また、電池１０４の電池残量が不足していることをユーザが事前に知ることによって、予め充電を行ない、当該放送番組の最後まで視聴することができるように促すことにもなることから、ユーザが視聴したいと思っている放送番組を最後まで快適に視聴することができるようになる。
【００７６】
また、前述の例においては、視聴予約番組の放送開始までの間は、ユーザ操作が何ら行なわれない待機状態にある場合について、該待機中消費電力を考慮して、視聴予約番組の視聴が可能か否かを判定する場合を示したが、視聴予約番組の放送開始までの間に、ユーザが何らかの操作指示を携帯テレビ受信装置１００に対して行なう場合もあり得る。
【００７７】
かかる場合に備えて、管理部１０５は、ユーザにより過去になされた各操作指示種別毎に消費された電力の履歴を消費電力履歴情報１０７ｃとして記憶部１０７に記憶している。ここで、ユーザからの何らかの操作指示がなされると、該操作指示に関する処理に伴い、今回消費されると予測される消費予測電力を、記憶部１０７に記憶された消費電力履歴情報１０７ｃに基づいて、例えば、該操作指示に関する過去の処理に要した消費電力の平均値を求めることにより、獲得する。
【００７８】
しかる後、管理部１０５は、記憶部１０７に視聴予約情報１０７ａが登録されている場合に、視聴予約情報１０７ａの視聴予約番組の放送開始までの間に、ユーザから該操作指示がなされた際には、該操作指示に関する処理を実行することに伴い消費されると予測される消費予測電力を前述の消費電力履歴情報１０７ｃに基づいて獲得し、電池１０４の電池残量から該消費予測電力分の電力を消費することにより、記憶部１０７に登録されている視聴予約情報１０７ａの視聴予約番組の放送終了まで受信し提示可能な電池残量が残されていないと判定した場合には、該視聴予約番組の放送終了まで受信し提示することができなくなる可能性がある旨を表示部１０８及び／又はスピーカ部１０６を介してユーザに警告通知する。
【００７９】
而して、ユーザは、視聴予約番組の視聴を優先するか、今回の操作指示による処理を優先するか、あるいは、充電を先に行なうべきか、いずれかの選択を事前に行なうことが可能である。
【００８０】
〔第２実施形態〕
前述した実施例においては、もし、放送番組の終了までの視聴には電池残量が不足であったとしても、その旨をユーザに伝えるだけであり、ユーザが、当該携帯テレビ受信装置１００の電池１０４を直ちに充電できる環境に無い時には、結果的に視聴することができないという可能性がある。かくのごとき問題を解決するために、次に、第２実施形態として省エネモードを考慮した視聴予約方法について説明する。
【００８１】
第２実施形態における省エネモードという概念について、最初に説明する。省エネモードとは、携帯テレビ受信装置１００としての機能を失わない程度に電力を節約する動作モードを意味しており、例えば、ユーザが入力部１０９を介して、何らかの操作を行なったときに、省エネモードではない通常モードの状態にあっては、表示部１０８のバックライトを一定時間点灯させることになるが、省エネモードにおいては、バックライトの点灯時間を短くしたり、あるいは、点灯しないこととするなどの動作が行なわれる。
【００８２】
しかし、かくのごとき、電池１０４の電力を節約するための具体的な省エネ技術については、携帯電話機やＰＤＡやノートＰＣなど、携帯テレビ受信装置の形態によって種々の方法が考えられるため、ここでは、その具体的な実現方法については特に言及しないこととする。消費電力を低減させることが可能な省エネモードを設定可能な技術であれば、従来において用いられている具体的な省エネ技術のいずれであっても、本発明に係る携帯テレビ受信装置に対して適用することができる。
【００８３】
ここで、従来の省エネ技術について種々の方法が存在しているが、本発明に適用された場合には、省エネモードの設定によって節約される消費電力を具体的に計算し、視聴予約時において、該視聴予約番組の放送終了まで受信及び提示可能か否か即ち視聴可能か否かの判定に用いることにより、ユーザは、より計画的に、視聴予約番組の視聴を実現するための省エネモードの設定を実行することができる。
【００８４】
ここで、いつも省エネモードに設定してしまっていると、携帯テレビ受信装置１００の動作が縮退された動作となり、通常モードよりも操作性が低下してしまう。しかし、本発明においては、視聴予約番組が視聴可能か否かの判定結果に応じて、省エネモードに設定するものであり、省エネモードに設定することにより発生する操作の煩わしさなどから開放されながらも、必要に応じて、計画的に省エネモードに設定することを可能とし、視聴したい放送番組を最後まで視聴することができるようになる。
【００８５】
以上の動作を図３のフローチャートの破線部で示す処理ステップを中心にして説明すると、次の通りである。まず、ステップＳ３０２において、前述のように、管理部１０５は、記憶部１０７の番組情報１０７ｂ又は視聴予約情報１０７ａに基づいて、視聴予約しようとしている放送番組の放送時間帯即ち放送開始時刻と放送終了時刻とを調査し、更には、電池管理部１０３を介して、電池１０４に残されている現在の電池残量情報を取得した後、更に、管理部１０５は、現在の動作モードを取得する（ステップＳ３０２ａ）。現在の動作モードとしては、既に省エネモードに設定されている状態と、通常モードに設定されたままの状態とが存在している。
【００８６】
次に、ステップＳ３０４において、現在の動作モードのままで、現在の電池１０４の電池残量、又は、今後放送される放送番組を視聴予約した場合であれば、前述した待機中消費電力を差し引いた残りの電池１０４の電池残量を使って、視聴指示された視聴番組、又は、視聴予約の指示がなされた視聴予約番組の放送終了までの受信と提示動作が可能か否か、即ち、該視聴番組又は該視聴予約番組を最後まで視聴することが可能か否かを判定し、視聴が不可能であると判定された場合には（ステップＳ３０４のＮＯ）、対象の該視聴番組又は該視聴予約番組の視聴が可能となるような省エネモードが存在しているか否かを検索する（ステップＳ３０４ａ）。
【００８７】
即ち、携帯テレビ受信装置１００に備えられている省エネモードとして、或る操作の処理や番組の受信・提示に対して一つの消費電力の節約量しかないような１レベルのみでなく、或る操作の処理や番組の受信・提示に対して異なる消費電力の節約量が得られる複数のレベルを備えた省エネモードを備えている。
【００８８】
一般に、省エネモードのレベルを厳しく設定していくにつれて、ユーザにとっては、通常モードに比べて、携帯テレビ受信装置１００の操作をし難いものとなってしまう可能性はあるが、視聴したいと思っている視聴番組や視聴予約番組を視聴することができる可能性は広がる。また、ここで、複数レベルの省エネモードとしては、携帯テレビ受信装置１００における種々の省エネ動作を実行可能とするそれぞれの省エネモードを１つずつ各レベルに対応させて設定しても良いし、携帯テレビ受信装置１００の各回路部において省エネが可能な各回路又は各機能単位で省エネモードのレベルを割り当てて調節するものであっても良い。
【００８９】
複数のレベルの省エネモードを検索した結果、視聴番組又は視聴予約番組の放送終了まで視聴が可能となる省エネモードが存在していると判定した場合には（ステップＳ３０４ｂのＹＥＳ）、視聴可能となる省エネモードへ自動的に移行することが可能な省エネモードオート設定が有効とされていなければ（ステップＳ３０４ｃのＮＯ）、放送終了まで視聴可能な省エネモードが存在している旨を表示部１０８及び／又はスピーカ部１０６を介してユーザに通知して、ユーザに省エネモードに設定するか否かを選択させる（ステップＳ３０４ｄ）。ユーザから省エネモードへの設定が指示された場合、放送終了まで視聴可能な省エネモードに移行し（ステップＳ３０４ｅ）、管理部１０５は、ユーザから指示された放送番組の視聴又は視聴予約を実行し、視聴予約の場合、該視聴予約番組に関する視聴予約情報１０７ａを記憶部１０７に記録し登録する（ステップＳ３０６）。
【００９０】
また、視聴可能となる省エネモードへ自動的に移行することが可能な省エネモードオート設定が有効とされている時には（ステップＳ３０４ｃのＹＥＳ）、視聴可能となる省エネモードに自動的に移行し（ステップＳ３０４ｅ）、管理部１０５は、ユーザから指示された放送番組の視聴又は視聴予約を実行し、視聴予約の場合、該視聴予約番組に関する視聴予約情報１０７ａを記憶部１０７に記録し登録する（ステップＳ３０６）。また、このとき、省エネモードに自動的に移行した旨を表示部１０８及び／又はスピーカ部１０６を介してユーザに通知するようにしても良い。
【００９１】
一方、複数のレベルの省エネモードを調べても、視聴が可能となる省エネモードが見つからなかった場合には（ステップＳ３０４ｂのＮＯ）、現在の電池残量では、たとえ、如何なるレベルの省エネモードに直ちに設定したとしても、視聴又は視聴予約しようとしている放送番組の放送終了まで受信し提示することができなくなる、即ち、最後までは視聴することができなくなる可能性がある旨を、表示部１０８及び／又はスピーカ部１０６を用いて、ユーザに対して警告通知する（ステップＳ３０５）。しかる後、管理部１０５は、ユーザから指示された放送番組の視聴又は視聴予約を実行し、視聴予約の場合、該視聴予約番組に関する視聴予約情報１０７ａを記憶部１０７に記録し登録する（ステップＳ３０６）。
【００９２】
以上のように、視聴又は視聴予約時の電池残量と複数のレベルの省エネモードとを考慮することにより、不必要な省エネモードの設定をなくし、ユーザにとって極力快適な操作環境を提供しながらも、視聴又は視聴予約した放送番組の最後までの視聴を可能とすることができるようになる。
【００９３】
なお、ステップＳ３０４ｄにおけるユーザへの通知による場合や、ステップＳ３０４ｃのＹＥＳにおける省エネモードオート設定による場合のように、ステップＳ３０４ｅにおいて、携帯テレビ受信装置１００が省エネモードに移行した場合であっても、電池１０４への充電が開始されたような場合には、省エネモードに設定しておく必要は特に無い。従って、充電が開始されたことが電池管理部１０３により検知された場合には、当該携帯テレビ受信装置１００が省エネモードに設定されている状態にあれば、自動的に省エネモードを解除して、通常モードに復帰する。
【００９４】
ここで、更に、充電が終了した時点で、視聴又は視聴予約した放送番組の最後まで視聴するためには、省エネモードに再度移行する必要があるか否かを、再びチェックするようにしても良い。視聴予約されている場合であれば、具体的には、充電が終了した時点で、記憶部１０７に視聴予約された視聴予約番組に関する視聴予約情報１０７ａが登録されているか否かを判定して、視聴予約情報１０７ａが存在する時には、該視聴予約情報１０７ａの視聴予約番組を対象として、ステップＳ３０２以降の処理を実行するようにすれば良い。
【００９５】
視聴予約の場合について更に説明すれば、管理部１０５は、電池１０４の充電開始を電池管理部１０３から通知されることにより省エネモードから通常モードに復帰する際に、該充電開始により省エネモードを解除することを、当該省エネモード設定の対象とされていた視聴予約番組に関する視聴予約情報１０７ａと共に、記憶部１０７の退避領域１０７ｆに一旦退避し、充電終了時に、電池管理部１０３から得られた電池１０４の電池残量が、記憶部１０７の退避領域１０７ｆに退避されていた視聴予約情報１０７ａが示す、当該省エネモード設定の対象とされていた該視聴予約番組の放送終了まで受信し提示可能な電池残量が残されていないと判定した場合、一旦解除した省エネモードに再度設定し直すように動作する。
【００９６】
また、第１実施形態の場合と同様に、現在放送されている放送番組について受信して視聴する場合に対しても全く同様の効果を得ることができる。即ち、現在放送されている放送番組を視聴する場合については、ステップＳ３０３に示した放送番組の開始までの待機中消費電力を考慮せずに、現在時刻から当該放送番組の放送終了時刻までの間の受信及び提示に必要な電力、即ち、当該放送番組の最後までの今後の視聴に必要とする電力のみを考慮すれば良い。
【００９７】
〔第３実施形態〕
一般に、地上波デジタル放送における番組情報は、ほぼ一週間先の番組情報までＥＰＧ情報として取得することができ、記憶部１０７へ番組情報１０７ｂとして格納することが可能である。ここで、一週間も先に放送予定の放送番組の視聴予約について、前述した各実施形態に示すような機能を実行して、視聴予約番組の視聴予約を登録したとしても、登録した該視聴予約番組が実際に放送開始されるまでの間には、携帯電話機やＰＤＡやノートＰＣなどの携帯テレビ受信装置１００においては、電池１０４の充電が何回も繰返し行なわれるのが一般的である。
【００９８】
従って、視聴予約を登録した時点における電池１０４の電池残量に基づいて、登録した該視聴予約番組を視聴可能とするために、視聴予約の登録時点から、例えば極度に深いレベルの省エネモードに移行したとしても、全く意味が無く、反ってユーザにとっては煩わしさが増加した結果を招いてしまう。かくのごとき問題を解決するために、次に、第３実施形態として充電タイミングを予測可能とし、充電予測を考慮した視聴予約を行なう方法について説明する。
【００９９】
第３実施形態における充電予測という概念について、最初に説明する。充電予測とは、或る一定期間のいつ何時に、例えば一週間の何曜日の何時に、充電が開始される頻度が最も大きいかをチェックし、頻度が大きい充電日時データから次回充電か開始されるであろう時刻を充電予測時刻として予測する機能である。このため、過去にユーザが充電を行なっていた日時及び／又は曜日毎の時刻を充電履歴情報１０７ｄとして記憶部１０７に保存蓄積している。
【０１００】
該充電履歴情報１０７ｄに基づいて、例えば、一ヶ月の期間内で、一週間の間で最も充電の頻度が大きい曜日の時刻を選択して、次回充電が行なわれると予測される日時及び／又は曜日毎の時刻を示す充電予測時刻１０７ｅとして記憶部１０７に予め設定する。本第３実施形態においては、該充電予測により得られた、記憶部１０７に予め設定された充電予測時刻１０７ｅを考慮して、視聴予約時に、視聴予約番組の視聴の可又は不可を判定することにより、ユーザは、より快適に、番組の視聴予約を行なうことができるようになる。
【０１０１】
例えば、平日の朝から夕方までの時間帯は学校や職場に出掛けていて、帰宅後の就寝前に、充電を開始するような生活を送っているユーザの場合は、充電予測時刻１０７ｅとして、平日は就寝前の或る時間帯に充電がなされると判定され、次回以降においても、ほぼ同じ時刻に充電がなされるものと予測される。同様に、休日における充電がなされている時間帯もチェックされ、休日でも充電がなされる頻度が高い時間帯に関するデータが得られている場合、次回以降においても、休日のほぼ同じ時刻に充電がなされるものと予測される。かくのごとく、充電予測により得られた充電予測時刻１０７ｅに関するデータは、当該携帯テレビ受信装置１００の記憶部１０７に記憶し、保存される。
【０１０２】
ここで、記憶部１０７に予め設定される充電予測時刻１０７ｅとしては、過去に充電頻度が大きかった日時や曜日毎の時刻順に、複数の時刻を予め設定しておくこととしても良い。更に、ユーザは充電を行なう予定の日時を充電スケジュールとして予め指定するようにしても良く、管理部１０５は、ユーザから充電スケジュールとして指定された日時及び／又は曜日毎の時刻を、充電予測時刻１０７ｅとして、前述の充電履歴情報１０７ｄに基づいて設定される場合と同様に、記憶部１０７に予め設定することも可能である。
【０１０３】
図３のフローチャートの破線部で示す部分を中心にして説明すると、まず、ステップＳ３０２において、視聴予約した放送番組の視聴予約情報や現在の電池残量を取得した後に（ステップＳ３０２）、待機状態で、視聴予約しようとしている視聴予約番組が放送開始されるまでの間に、消費する待機中消費電力を予測すると共に（ステップＳ３０３）、記憶部１０７に保存されている充電予測時刻１０７ｅに基づいて、該視聴予約番組が放送開始されるまでの間に、当該携帯テレビ受信装置１００の電池１０４が充電される可能性が高いか否かを判定する（ステップＳ３０３ａ）。
【０１０４】
ここで、充電される可能性が高いと判定された場合には（ステップＳ３０３ａのＹＥＳ）、ステップＳ３０４における現在の電池残量で該視聴予約番組の受信及び提示が可能か否かの判定、更には、ステップＳ３０４ａ以降の省エネモードへの移行の可否の判定を行なうことなく、直ちに、ステップＳ３０６に移行して、視聴予約を実行し、該視聴予約番組に関する視聴予約情報１０７ａを記憶部１０７に記録し登録する（ステップＳ３０６）。
【０１０５】
即ち、管理部１０５は、記憶部１０７に視聴予約された視聴予約番組に関する視聴予約情報１０７ａを登録する場合であって、該視聴予約情報１０７ａの視聴予約番組の放送終了まで受信し提示可能な電池残量が残されていないと判定して、該視聴予約番組の放送終了まで受信し提示可能とするために、省エネモードに設定せんとする場合であっても、該視聴予約番組の放送開始までの間に、充電予測時刻１０７ｅとして記憶部１０７に予め設定されている日時が存在していた場合には、省エネモードの設定を行なわずに、直ちに、視聴予約を実行し、該視聴予約番組に関する視聴予約情報１０７ａを記憶部１０７に記録し登録する動作を行なう。
【０１０６】
一方、該視聴予約番組が放送開始されるまでの間に充電される可能性が低いと判定された場合には（ステップＳ３０３ａのＮＯ）、ステップＳ３０４における現在の電池残量で該視聴予約番組の受信及び提示が可能か否かの判定、更には、ステップＳ３０４ａ以降の省エネモードへの移行の可否の判定処理を、前述の第１及び第２実施形態のように実行する。
【０１０７】
なお、記憶部１０７に予め設定される充電予測時刻１０７ｅは、前述のごとく、ユーザによって充電スケジュールとして予め設定しておくような形態としても良いし、日々の充電タイミングの統計を充電履歴情報１０７ｄとして蓄積して、頻度が高い時刻を、充電予測時刻１０７ｅとして予め設定する形態としても良いし、更には、両者を併用するような形態であっても良い。また、一旦、記憶部１０７に予め設定した充電予測時刻１０７ｅを、ユーザが、必要に応じて、適宜変更して設定し直すようにしても構わない。
【０１０８】
かくのごとき充電予測を用いた視聴予約方法は、毎日の行動パターンが或る程度パターン化されていて、充電が或る特定の時間帯になされるようなユーザにとっては、より効果的となる。しかし、毎回充電を行なうタイミングが異なるようなユーザの場合については、充電予測時刻を視聴予約時の処理に用いないように、充電予測機能の動作を抑止して、図３のステップＳ３０３ａの判定処理においては、常に、充電の可能性がないと判定する（ステップＳ３０３ａのＮＯ）ような設定を行なうことも可能である。
【０１０９】
以上のように、充電予測と視聴予約時の電池残量とを考慮することにより、省エネモードへの移行の旨や、視聴予約番組の視聴ができない可能性がある旨などのユーザに対する不必要な警告通知、場合によっては、ユーザにとって余り意味の無い情報提示を、ユーザは受けることなく、携帯テレビ受信装置１００においてより快適に視聴予約を実行することが可能となる。
【０１１０】
〔第４実施形態〕
以上に述べた第１乃至第３実施形態によれば、視聴時や視聴予約時に、現在の電池残量に基づいて、視聴番組や視聴予約番組を放送終了まで受信及び提示して最後まで視聴が可能であるか否かを判定することによって、視聴番組や視聴予約番組の視聴中に、電池１０４の電池残量が突然無くなってしまい、視聴番組や視聴予約番組の残りの視聴を逃してしまうという事態を防止することができる。しかし、実際には、視聴予約の場合、視聴予約した視聴予約番組が放送開始されるまでの間にも、ユーザは、種々の操作指示を、携帯テレビ受信装置１００に対して行なうことが十分に予測され、かかる操作指示に関する処理によって多くの電力を消費してしまい、視聴予約番組が放送開始される時点では、電池１０４の電池残量が残り少なくなっているというケースに陥ることが十分に予測される。
【０１１１】
例えば、携帯テレビ受信装置１００に電話機能やメール送受信機能、デジタルカメラ機能などが備えられている場合は、視聴予約を行なった後に、それらのいずれかの機能を任意に使用することが可能であり、その結果として、多くの電力を消費してしまう事態が生じて、視聴予約時点で実施された折角の電池残量予測も意味をなさなくなってしまう可能性がある。
【０１１２】
かくのごとき問題を解決するために、今後放送される予定の視聴予約番組が放送開始されるまでの間に、発生するユーザの操作タイミングの時点で、ユーザの操作指示に関する処理の実行によって消費するであろう電力を予測し、ユーザの該操作指示に関する処理後においても、視聴予約番組が視聴できるか否かを判定する機能について、次に、第４実施形態として図４のフローチャートを用いて説明する。ここに、図４は、本発明に係る携帯テレビ受信装置の第４実施形態における動作を説明するためのフローチャートであり、第４実施形態における携帯テレビ受信装置の構成は、図１に示す携帯テレビ受信装置１００と同じ構成である。
【０１１３】
携帯テレビ受信装置１００に対して、ユーザが何らかの操作指示を行なおうとすると、管理部１０５は、最初に、記憶部１０７の視聴予約情報１０７ａを参照して、視聴予約している視聴予約番組が存在しているか否かを調べる（ステップＳ４０１）。視聴予約している視聴予約番組が存在しない場合は（ステップＳ４０１のＮＯ）、ステップＳ４０５に移行して、ユーザが行なおうとしている操作指示に関する処理をそのまま実行する（ステップＳ４０５）。一方、視聴予約している視聴予約番組が存在する場合には（ステップＳ４０１のＹＥＳ）、現在の電池残量を電池管理部１０３から、また、視聴予約している視聴予約情報１０７ａを記憶部１０７からそれぞれ取得し、ユーザが行なおうとしている操作指示に関する処理を実行したとしても、視聴予約している視聴放送番組を最後まで視聴可能な電力が電池残量として残るか否かを予測する（ステップＳ４０２）。
【０１１４】
電池残量が残ると予測される場合には（ステップＳ４０３のＹＥＳ）、ステップＳ４０５に移行して、ユーザが行なおうとしている操作指示に関する処理をそのまま実行する（ステップＳ４０５）。一方、電池残量が足りないと予測される場合には（ステップＳ４０３のＮＯ）、ユーザが行なおうとしている操作指示に関する処理を実行すると視聴予約番組を視聴できなくなる可能性がある旨を表示部１０８及び／又はスピーカ部１０６を介してユーザに警告通知した後（ステップＳ４０４）、ユーザが行なおうとしている操作指示に関する処理を実行する（ステップＳ４０５）。
【０１１５】
ここで、電池残量が足りないと予測される場合であっても（ステップＳ４０３のＮＯ）、最終的には、ステップＳ４０５において、ユーザが行なおうとしている操作指示に関する処理を実行するようにしているが、ステップＳ４０４の処理の代わりに、ユーザに対して操作指示に関する処理を実行するか否かを問い合わせる問い合わせ情報を表示部１０８及び／又はスピーカ部１０６を介して出力して、ユーザからの指示を待ち合わせるように構成しても良い。
【０１１６】
また、ステップＳ４０１において判定される対象となる視聴予約番組としては、記憶部１０７に複数の視聴予約情報１０７ａが登録されていて、複数の視聴予約番組が存在していたとしても、第３実施形態において前述したように、充電が行なわれるであろうと予測される充電予測時刻１０７ｅよりも前に放送される予定の視聴予約番組のみに限って判定することとしても良い。
【０１１７】
なお、ユーザが行なおうとしている操作指示に関する処理を実行することにより消費されると予測される消費予測電力量は、電話機能やメール送受信機能、デジタルカメラ機能などの機能毎に、当該携帯テレビ受信装置１００のユーザが過去に消費している消費電力の平均値を算出して記憶部１０７に予め設定するようにしても良い。
【０１１８】
即ち、管理部１０５は、過去になされたユーザの各操作指示種別毎に消費された電力を消費電力履歴情報１０７ｃとして記憶部１０７に記憶し、今回のユーザからの操作指示に関する処理に伴い消費されると予測される消費予測電力を、記憶部１０７に記憶された消費電力履歴情報１０７ｃに基づいて、例えば、各操作指示種別毎に消費電力履歴情報１０７ｃにある消費電力を平均することにより、獲得するようにしても良い。
あるいは、消費電力履歴情報１０７ｃを参考にしながら、ユーザが、各操作指示種別毎に、消費予測電力を記憶部１０７に予め設定するようにしても良い。
【０１１９】
また、図４の処理は、ユーザが何らかの操作指示を行なおうとする都度、毎回起動することとしないで、前述した消費予測電力が予め定められた閾値を超えるような電力となりそうな特定の操作指示が行なわれるときのみに起動されるようにしても良い。
【０１２０】
更に、管理部１０５は、記憶部１０７に視聴予約された視聴予約番組に関する視聴予約情報１０７ａが登録されている場合であって、該視聴予約情報１０７ａの視聴予約番組の放送開始までの間に、ユーザから何らかの操作指示が当該携帯テレビ受信装置１００に対してなされた際に、現在の動作モードが通常の動作を行なう状態を示す通常モードであった場合、省エネモードに切り替えて設定した際において、該操作指示に関する処理を実行することに伴い消費されると予測される電力を消費予測電力として求める。
【０１２１】
ここで、該消費予測電力を消費することにより、視聴予約情報１０７ａの視聴予約番組の放送終了まで受信し提示可能な電池残量が残されていないと判定した場合には、図４には示していないが、省エネモードに設定したとしても、該視聴予約番組の放送終了まで受信し提示することができなくなる可能性がある旨を表示部１０８及び／又はスピーカ部１０６を介してユーザに警告通知することとしても良い。
【０１２２】
また、管理部１０５は、記憶部１０７に視聴予約された視聴予約番組に関する視聴予約情報１０７ａが登録されている場合であって、該視聴予約情報１０７ａの視聴予約番組の放送開始までの間に、ユーザから何らかの操作指示が当該携帯テレビ受信装置１００に対してなされた際に、現在の動作モードが通常モードか省エネモードかのそれぞれに応じて、該操作指示に関する処理を実行することに伴い消費されると予測される電力を消費予測電力として求める。
【０１２３】
ここで、該消費予測電力を消費することにより、視聴予約情報１０７ａの視聴予約番組の放送終了まで受信し提示可能な電池残量が残されていないと判定した場合についても、図４には示していないが、該視聴予約番組の放送終了まで受信し提示することができなくなる可能性がある旨を表示部１０８及び／又はスピーカ部１０６を介してユーザに警告通知することとしても良い。
【０１２４】
更には、以上に記載した場合と異なる動作として、管理部１０５は、記憶部１０７に視聴予約された視聴予約番組に関する視聴予約情報１０７ａが登録されている場合であって、該視聴予約情報１０７ａの視聴予約番組の放送開始までの間に、ユーザから当該携帯テレビ受信装置１００に対してなされた何らかの操作指示に関する処理、又は、該視聴予約情報１０７ａの視聴予約番組とは異なる他の放送番組の視聴指示による該他の放送番組の受信及び提示により、該視聴予約情報１０７ａの視聴予約番組の放送終了まで受信し提示可能な電池残量が残されていないと判定した場合については、該操作指示に関する処理、又は、該他の放送番組の受信及び提示を現在の動作モードの状態のままで行なうか、あるいは、該視聴予約情報１０７ａの視聴予約番組の放送終了まで受信し提示可能な状態にまで消費電力を低減させるために、省エネモードに設定して、前記操作指示に関する処理、又は、前記他の放送番組の受信及び提示を行なうかを、表示部１０８及び／又はスピーカ部１０６を介してユーザに通知し、ユーザに選択させることとしても良い。
【０１２５】
以上のように、ユーザが操作を行なう際に、現在の電池残量と何らかのユーザ操作指示により消費されると予測される電力とを考慮して、視聴予約番組の視聴に影響があるか否かを判定することにより、視聴予約番組の放送が開始された時には、電池残量が不足してしまい、放送が終了する最後まで視聴することができなくなるという事態を未然に防ぐことができ、ユーザは、より快適に放送番組を視聴することが可能となる。
【０１２６】
〔第５実施形態〕
前述の第１乃至第４実施形態に示すように、或る場合には、充電を行なうことにより、或る場合には、省エネモードに設定することにより、視聴予約番組の視聴が可能な電池残量を確保することを可能としている。しかし、視聴予約番組の放送が開始されたとしても、ユーザが、折角放送されている視聴予約番組を視聴していない場合には、該視聴予約番組の放送を受信し、提示する電力が無駄に消費されてしまうことになり、しかる後に、更に視聴予約番組が控えているような場合には、更に後続する該視聴予約番組の視聴も不可能となりかねない。放送開始されても視聴予約番組をユーザが視聴していない事態が検知された場合には、電池１０４の無駄な電力消費を抑えておくことが望ましい。かくのごとき問題を解決するために、ユーザの視聴の有無を監視する視聴監視処理について、次に、第５実施形態として図５のフローチャートを用いて説明する。
【０１２７】
ここに、図５は、本発明に係る携帯テレビ受信装置の第５実施形態における動作を説明するためのフローチャートであり、第５実施形態における携帯テレビ受信装置の構成は、図１に示す携帯テレビ受信装置１００と同じ構成である。
【０１２８】
管理部１０５は、最初に、記憶部１０７の視聴予約情報１０７ａを参照して、視聴予約している視聴予約番組が存在しているか否かを調べる。視聴予約している視聴予約番組が存在している場合には、該視聴予約番組の放送開始時刻から予め定められた或る一定の準備時間前に到達すると、管理部１０５は、視聴監視タイマをスタートさせる（ステップＳ５０１）。該視聴監視タイマは、ユーザの携帯テレビ受信装置１００に対する操作指示を感知するためのものであり、ユーザが視聴予約番組を視聴する状態にあるか否かを判定するために用いられる視聴監視用のタイマである。しかる後、まず、ユーザ操作が発生したか否かをチェックする（ステップＳ５０２）。
【０１２９】
ここで、ユーザの何らかの操作が検知された場合（ステップＳ５０２のＹＥＳ）、予約した視聴予約番組がまもなく放送開始されるに当たって、ユーザが携帯テレビ受信装置１００を意識しており、該視聴予約番組を視聴可能な状態にあるものと判定して、該視聴予約番組の放送が開始されるのを待ち合わせる（ステップＳ５０４）。該視聴予約番組の放送開始時刻に至った場合（ステップＳ５０４のＹＥＳ）、ステップＳ５１０に移行して、該視聴予約番組の受信及び提示動作を起動した後（ステップＳ５１０）、視聴監視タイマを停止させる処理が実行される（ステップＳ５１３）。以降の処理については、後述する。
【０１３０】
一方、視聴予約番組の放送開始時刻に至るまで（ステップＳ５０３のＮＯ）、ユーザ操作が検知されなく（ステップＳ５０２のＮＯ）、しかる後に、視聴予約番組の放送開始時刻に到達した場合（ステップＳ５０３のＹＥＳ）、該視聴予約番組の放送が開始される時刻に至った旨を表示部１０８及び／又はスピーカ部１０６を介して出力してユーザに対して通知する（ステップＳ５０５）。しかる後、該通知に応じて、ユーザ操作が発生したか否かを、該放送開始時刻から予め定められた一定の前記準備時間分遡った時点以降、予め定められた或る一定時間に至るまで（ステップＳ５０７のＮＯ）、チェックする（ステップＳ５０６）。該一定時間は、視聴監視タイマを用いて測定される。
【０１３１】
該一定時間が経過するまでの間に（ステップＳ５０７のＮＯ）、何らかのユーザ操作があった場合（ステップＳ５０６のＹＥＳ）、ユーザが該視聴予約番組を視聴する状態にあるものと判定して、ステップＳ５１０に移行して、該視聴予約番組の受信及び提示動作を起動した後（ステップＳ５１０）、視聴監視タイマを停止させる処理が実行される（ステップＳ５１３）。以降の処理については、後述する。
【０１３２】
一方、該一定時間が経過するまでの間（ステップＳ５０７のＹＥＳ）、何らのユーザ操作も全くされなかった場合（ステップＳ５０６のＮＯ）、管理部１０５は、該視聴予約番組の受信及び提示動作、即ち、視聴動作を中止しようとしている旨を警告する視聴中止警告を表示部１０８及び／又はスピーカ部１０６に出力してユーザに警告通知する（ステップＳ５０８）。該視聴中止警告の提示に対応して、予め定められた或る制限時間に至るまでの間に（ステップＳ５１１のＮＯ）、何らかのユーザ操作がなされたかチェックする（ステップＳ５０９）。該制限時間も、視聴監視タイマを用いて測定される。
【０１３３】
該制限時間が経過するまでの間に（ステップＳ５１１のＮＯ）、何らかのユーザ操作が発生した場合（ステップＳ５０９のＹＥＳ）、ユーザが該視聴予約番組を視聴する状態にあるものと判定して、ステップＳ５１０に移行して、該視聴予約番組の受信及び提示動作を起動した後（ステップＳ５１０）、視聴監視タイマを停止させる処理が実行される（ステップＳ５１３）。以降の処理については、後述する。
【０１３４】
一方、該視聴中止警告を出力して警告通知した後、予め定められた或る制限時間が経過するまでの間（ステップＳ５１１のＹＥＳ）、何らのユーザ操作も全くされなかった場合（ステップＳ５０９のＮＯ）、該視聴予約番組の受信及び提示動作即ち視聴動作を中止した旨の視聴中止を表示部１０８及び／又はスピーカ部１０６に出力してユーザに通知する（ステップＳ５１２）。しかる後、該視聴予約番組の登録を消去して、ステップＳ５０１でスタートさせた視聴監視タイマを停止させる（ステップＳ５１３）。なお、ステップＳ５１２においては、携帯テレビ受信装置１００が省エネモードに設定されていた場合には、設定されている省エネモードを解除し、通常モードに復帰することも必要となるが、かかる処理は、ステップＳ５１４以降の処理において実行される。ステップＳ５１４以降の処理については、次に述べる。
【０１３５】
以降、更に視聴予約している視聴予約番組が存在しているか否かをチェックする（ステップＳ５１４）。ここで、更なる視聴予約番組が存在していないと判定された場合（ステップＳ５１４のＮＯ）、前の視聴予約番組の視聴予約のために、現在、省エネモードに設定されている状態にあるか否かをチェックする（ステップＳ５１６）。更なる視聴予約番組が存在していない場合は、省エネモードに設定しておく必要は特にないので、省エネモードに設定している場合は（ステップＳ５１６のＹＥＳ）、省エネモードの設定を解除して、通常モード状態に復帰する（ステップＳ５１７）。
【０１３６】
一方、更なる視聴予約番組が存在していた場合には（ステップＳ５１４のＹＥＳ）、ステップＳ５１２において視聴予約番組の視聴が中止されていた場合、中止された視聴予約番組の放送時間分だけ、電池１０４の消費電力が抑えられることになるので、更に存在している視聴予約番組のうち、最も早く放送される予定の視聴予約番組を対象にして、図３のフローチャートのステップＳ３０１以降に示すような視聴判定処理を再度行ない（ステップＳ５１５）、視聴予約内容と電池残量とをチェックし直し、動作モードの変更などを実行する。
【０１３７】
即ち、管理部１０５は、ステップＳ５１２において視聴を中止した場合、現在設定されている省エネモードを解除するのに先立って、あるいは、現在設定されている通常モードを継続するのに先立って、受信及び提示を中止した前記視聴予約番組に関する視聴予約情報の他に、記憶部１０７に登録されている視聴予約情報１０７ａが更に存在しているか否かを調べて、更に視聴予約情報１０７ａが存在している場合（ステップＳ５１４のＹＥＳ）、更に存在する視聴予約情報１０７ａの視聴予約番組の放送開始までに、充電予測時刻１０７ｅに設定された日時がなく、更に存在している該視聴予約情報１０７ａに関する視聴予約番組の放送終了まで受信し提示可能な電池残量が通常モードにおいては残されていないと判定した場合には、現在設定されている省エネモードを解除することなくそのまま継続する、あるいは、現在設定されている通常モードを省エネモードに切り替えて設定するように動作する。
【０１３８】
更に、電池管理部１０３から得られた現在の電池残量が、たとえ、現在設定されている省エネモードをそのまま継続したとしても、あるいは、現在設定されている通常モードを省エネモードに切り替えて設定したとしても、更に存在している視聴予約情報１０７ａに関する視聴予約番組の放送終了まで受信し提示可能な電池残量が残されていないと判定した場合、省エネモードを継続しても、あるいは、省エネモードに切り替えても、該視聴予約番組の放送終了まで受信し提示することができなくなる可能性がある旨を表示部１０８及び／又はスピーカ部１０６を介してユーザに警告通知するように動作することも可能である。
【０１３９】
なお、ステップＳ５０５においては、視聴予約番組の放送開始時刻に至っている旨の通知を行なうのみであり、該視聴予約番組の放送を受信し提示する実際の動作を開始する必要はない。しかし、ステップＳ５０５の時点において、該視聴予約番組の放送を受信し提示する実際の動作を開始するようにしても良い。かかる場合においては、該視聴予約番組の放送開始時刻に至っている旨の通知を行なう代わりに、該視聴予約番組の放送の受信及び提示動作が開始されたことを表示部１０８及びスピーカ部１０６の出力によりユーザは知ることができるが、場合によっては、合わせて、該視聴予約番組の放送の受信及び提示動作が開始された旨を表示部１０８及び／又はスピーカ部１０６に出力してユーザに対して通知することとしても良い。
【０１４０】
また、該視聴予約番組の放送開始時刻に至った際に、該視聴予約番組の放送を受信し提示する実際の動作を開始する場合にあっては、ステップＳ５０８乃至Ｓ５１１の視聴停止警告の処理及びステップＳ５１２の視聴停止処理を行なう代わりに、ステップＳ５０７において、放送開始時刻から予め定められた一定の準備時間分遡った時点以降、予め定められた或る一定時間が経過するまでの間、何らのユーザ操作もなされなかったことが検知された場合（ステップＳ５０７のＹＥＳ）、直ちに、ステップＳ５１２に移行して、視聴停止した旨の通知及び視聴予約番組の登録の消去を行なうと同時に、受信及び提示動作を開始していた該視聴予約放送の受信及び提示動作を停止させるような動作が追加して実行されることになる（ステップＳ５１２）。ここで、携帯テレビ受信装置１００が省エネモードに設定されていた場合には、設定されている省エネモードを解除し、通常モードに復帰することも必要となるが、かかる処理は、前述したようなステップＳ５１４以降の処理において実行される。
【０１４１】
また、ステップＳ５１６において省エネモードに設定されているか否かをチェックして、設定されていた場合は（ステップＳ５１６のＹＥＳ）、省エネモードの設定を解除する処理を行なっているが（ステップＳ５１７）、省エネモードの設定自体が、視聴予約の有無に関係なく、ユーザの意思によって実行されているような場合には、ステップＳ５１６及びＳ５１７における省エネモードの設定を解除する処理をスキップさせるようにしても良い。
【０１４２】
〔第６実施形態〕
以上のようにして、携帯テレビ受信装置１００を用いて或る放送番組の視聴予約を行なっていた場合であっても、視聴予約後に、当該携帯テレビ受信装置１００の所在位置が移動して、折角視聴予約していた視聴予約番組の放送エリアから外れてしまい、該視聴予約番組の放送電波を受信できない放送エリアに移動してしまう場合がある。即ち、携帯テレビ受信装置１００は、移動体端末であることから、常に、同じ放送エリア内に留まっていない可能性が十分に考えられる。
【０１４３】
かくのごとく、視聴予約していた視聴予約番組を受信することができなくなっている場合には、該視聴予約番組の放送を受信するようにチューニングするためのチューナ部１０２の動作に使用される電力は無駄になってしまう。また、該視聴予約番組の最後まで視聴を可能とするために、省エネモードに設定されていた場合においても、該視聴予約番組が受信できないことが判明した時点で、ユーザによっては省エネモードに設定されたままにしなくても良い場合が発生する。
【０１４４】
しかしながら、放送の受信が可能な放送エリアそのものは、明確に境界があるわけではなく、また、ユーザ自身が、視聴予約番組の放送エリアをこまめにチェックしておくことも、非常に手間がかかり負担になってしまう。そこで、かかる問題を解決するために、放送エリアが変更された場合の視聴予約処理について、次に、第６実施形態として図６のフローチャートを用いて説明する。ここに、図６は、本発明に係る携帯テレビ受信装置の第６実施形態における動作を説明するためのフローチャートであり、第６実施形態における携帯テレビ受信装置の構成は、図１に示す携帯テレビ受信装置１００と同じ構成である。
【０１４５】
携帯テレビ受信装置１００が移動して、管理部１０５が、放送エリアが変更された恐れがあることを察知すると、最初に、以前の放送エリアでは、視聴予約後に受信が不可能となって視聴予約が取り消されていた視聴予約番組であったとしても、新しい移動後の位置の放送エリアに移動したことにより、受信可能となっている可能性があるので、受信不可能であるとして取り消されていた視聴予約番組があるか否かを判定する（ステップＳ６０１）。
【０１４６】
ここで、取り消された該視聴予約番組は、ステップＳ６０５において、記憶部１０７の登録領域に記憶されている視聴予約情報１０７ａから取り出されて、該視聴予約情報１０７ａの視聴予約番組が放送開始されるまで、あるいは、放送が終了するまで、予約取消番組情報として記憶部１０７の退避領域１０７ｆに一時退避されている。退避領域１０７ｆの予約取消番組情報をチェックして、取り消された視聴予約番組がある場合は（ステップＳ６０１のＹＥＳ）、記憶部１０７の退避領域１０７ｆから読み出して、該予約取消番組情報とされている視聴予約番組が受信可能な状態に変化しているか否かを確認して、受信可能な状態に変化している場合には、記憶部１０７の退避領域１０７ｆから削除して、視聴予約情報１０７ａとして記憶部１０７の登録領域に設定し直して再度登録する（ステップＳ６０２）。
【０１４７】
即ち、管理部１０５は、受信可能な放送エリアからの移動により視聴予約が取り消された視聴予約番組に関する視聴予約情報１０７ａを記憶部１０７の退避領域１０７ｆに、該視聴予約番組の放送開始時刻に至るまで、あるいは、放送終了時刻が経過するまで、予約取消番組情報として一旦退避し、当該携帯テレビ受信装置１００が移動して、記憶部１０７の退避領域１０７ｆに予約取消番組情報として一旦退避された視聴予約情報１０７ａの視聴予約番組を受信可能な放送エリアにまで移動したことが検知された場合、該視聴予約番組に関する視聴予約情報１０７ａを記憶部１０７に再度登録し直す。
【０１４８】
ステップＳ６０２における視聴予約情報の再設定が終了した後、管理部１０５は、まず、記憶部１０７の視聴予約情報１０７ａを参照して、視聴予約されている視聴予約番組が存在しているか否かを調べる（ステップＳ６０３）。視聴予約されている視聴予約番組が存在していない場合には（ステップＳ６０３のＮＯ）、ステップＳ６０９へ移行し、後処理を行なう。一方、視聴予約されている視聴予約番組が存在している場合には（ステップＳ６０３のＹＥＳ）、視聴予約番組のうち、移動した新しい移動後の位置の放送エリアにおいて受信不可能となった番組が存在しているか否かをチェックする（ステップＳ６０４）。
【０１４９】
新しい移動後の位置の放送エリアでも、視聴予約番組のうち、受信が不可能となった番組が存在しない場合には（ステップＳ６０４のＮＯ）、視聴予約状態のままに設定しておいて構わないので、ステップＳ６０８へ移行し、後処理を行なう。但し、現在の放送エリアにおいては、視聴予約番組は、確かに受信可能な状態にはあるが、該視聴予約番組の放送時間帯などについて番組情報の変更点があるような場合には、視聴予約情報の変更が必要である旨をユーザに対して通知する処理がなされるようにしても良い。
【０１５０】
一方、新しい移動後の位置の放送エリアでは、視聴予約番組のうち、受信が不可能となった番組が存在する場合には（ステップＳ６０４のＹＥＳ）、ステップＳ６０６において、記憶部１０７の登録領域に登録されている該視聴予約番組に関する視聴予約情報１０７ａを取り消す処理を行なうが、かかる取り消し処理に先立って、次の処理を行なう。即ち、前述のごとく、当該携帯テレビ受信装置１００が新しい位置に再度移動して、現在の放送エリアでは受信不可能とされている視聴予約番組が受信可能な状態に変化する場合に備えて、記憶部１０７の登録領域から該視聴予約番組の視聴予約情報１０７ａを取り出して、予約取消番組情報として記憶部１０７の退避領域１０７ｆに一旦退避する（ステップＳ６０５）。しかる後、記憶部１０７の登録領域に記憶されている該視聴予約番組に関する視聴予約情報１０７ａを取り消す処理を行なう（ステップＳ６０６）。
【０１５１】
しかる後、視聴予約情報１０７ａの登録内容の変更に伴う後処理として、管理部１０５は、記憶部１０７の視聴予約情報１０７ａを参照して、現在の放送エリアへの移動後において、視聴予約されている視聴予約番組が存在しているか否かを再度チェックする（ステップＳ６０７）。ここで、視聴予約番組が存在していないと判定された場合（ステップＳ６０７のＮＯ）、移動前に視聴予約が登録されていたために、現在、省エネモードに設定されている状態にあるか否かをチェックする（ステップＳ６０９）。視聴予約番組が存在していない場合には、省エネモードに設定しておく必要は特にないので、省エネモードに設定されている場合は（ステップＳ６０９のＹＥＳ）、省エネモードの設定を解除して、通常モードの状態に復帰する（ステップＳ６１０）。
【０１５２】
即ち、管理部１０５は、記憶部１０７に視聴予約された視聴予約番組に関する視聴予約情報１０７ａが登録されている場合であって、該視聴予約情報１０７ａの視聴予約番組が放送される放送エリアから当該携帯テレビ受信装置１００が移動して、該視聴予約番組を受信できなくなった場合（ステップＳ６０４のＹＥＳ）、記憶部１０７の該視聴予約番組に関する視聴予約情報１０７ａを予約取消番組情報として記憶部１０７の退避領域１０７ｆに一旦退避する（ステップＳ６０５）。
【０１５３】
しかる後に、該視聴予約番組に関する視聴予約情報１０７ａの登録を削除して、該視聴予約番組の視聴予約を取り消すと共に（ステップＳ６０６）、現在の放送エリアへの移動後において、視聴予約番組が存在していないと判定された場合（ステップＳ６０７のＮＯ）、該視聴予約情報１０７ａを該視聴予約番組の放送終了まで受信し提示可能とするために、省エネモードに設定されていた場合には（ステップＳ６０９のＹＥＳ）、設定されていた省エネモードを解除して、通常モードに復帰する（ステップＳ６１０）。但し、第５実施形態において前述したように、省エネモードの設定自体が、視聴予約の有無には関係なく、ユーザの意思によって実行されているような場合には、ステップＳ６０９及びＳ６１０における省エネモードの設定を解除する処理をスキップさせるようにしても良い。
【０１５４】
一方、視聴予約番組が存在していた場合には（ステップＳ６０７のＹＥＳ）、ステップＳ６０２における予約取消番組情報の視聴予約情報１０７ａへの再登録処理や、ステップＳ６０６における視聴予約情報１０７ａの取り消し処理により、視聴予約番組に関する登録内容に変更が発生している可能性があるので、視聴予約されている視聴予約番組のうち、最も早く放送される予定の視聴予約番組を対象にして、図３のフローチャートのステップＳ３０１以降に示すような視聴判定処理を再度行ない（ステップＳ６０８）、視聴予約内容と電池残量とをチェックし直し、動作モードの変更などを実行する。
【０１５５】
即ち、現在の放送エリアへの移動後において、視聴予約情報１０７ａが存在していると判定された場合（ステップＳ６０７のＹＥＳ）、存在する視聴予約情報１０７ａの視聴予約番組の放送開始までに、充電予測時刻１０７ｅに設定された日時がなく、存在する該視聴予約情報１０７ａに関する視聴予約番組の放送終了まで受信し提示可能な電池残量が通常モードにおいては残されていないと判定した場合には、現在設定されている動作モードが通常モードであれば、省エネモードに切り替えて設定するように動作する。
【０１５６】
言い換えると、管理部１０５は、記憶部１０７の退避領域１０７ｆに予約取消番組情報として一旦退避された視聴予約番組に関する視聴予約情報１０７ａを記憶部１０７に再度登録し直す際に、該視聴予約情報１０７ａの視聴予約番組の放送開始までに、充電予測時刻１０７ｅに設定された日時がなく、該視聴予約番組の放送終了まで受信し提示可能な電池残量が残されていないと判定した場合、該視聴予約番組の放送終了まで受信し提示可能とするために、省エネモードに設定するように動作する。
【０１５７】
なお、管理部１０５は、受信可能な放送エリアからの移動により、ステップＳ６０６において、記憶部１０７に登録されている視聴予約情報１０７ａの視聴予約番組の視聴予約を取り消した場合、その旨を、更に、ステップＳ６１０において、省エネモードを解除した場合は、省エネモードを解除した旨を、表示部１０８及び／又はスピーカ部１０６を介してユーザに通知するようにしても良い。
【０１５８】
以上のように、携帯テレビ受信装置１００の移動により放送エリアが変更された場合には、受信不可能の状態に変化しているような視聴予約番組については、該視聴予約番組の放送を無駄に受信しようとせず、前以て予約取消番組情報として記憶部１０７の退避領域１０７ｆに一旦退避して、視聴予約を取り消すことにより、電池１０４の無駄な消費を抑え、より快適に放送番組の視聴を行なうことができる。
【０１５９】
〔第７実施形態〕
第３実施形態として、説明した充電予測の判定結果として、記憶部１０７に予め設定されていた充電予測時刻１０７ｅにおける日時に充電が行なわれなかったとしても、図３のフローチャートに示すように、充電予測の判定処理に従って、通常モードから省エネモードへの移行は行なわれないことになる。而して、充電されない状態で通常モードのまま経過することとなり、視聴予約番組の視聴に当たって、電池残量が不足して該視聴予約番組を最後まで視聴することができなくなってしまう可能性がある。かかる問題を解決するための充電予測外の視聴予約処理について、次に、第７実施形態として図７のフローチャートを用いて説明する。
【０１６０】
ここに、図７は、本発明に係る携帯テレビ受信装置の第７実施形態における動作を説明するためのフローチャートであり、図７−１は、充電予測時刻における充電の有無を監視する処理について説明するフローチャートであり、また、図７−２は、充電開始時における処理について説明するフローチャートである。なお、第７実施形態における携帯テレビ受信装置の構成は、図１に示す携帯テレビ受信装置１００と同じ構成である。
【０１６１】
まず、図７−１のフローチャートにおいて、管理部１０５は、充電予測時刻１０７ｅが予め定められた閾値の時刻以内に近づいてきた場合、最初に、放送開始までの間に設定されている充電予測時刻１０７ｅにおいて充電されることを予測した結果として、省エネモードに移行しなかった対象の視聴予約番組が存在しているか否かをチェックする（ステップＳ７０１）。ここで、放送開始までの間に設定されている充電予測時刻１０７ｅにおける充電を予測して省エネモードに移行しなかった視聴予約番組が存在しない場合（ステップＳ７０１のＮＯ）、特に何も行なわずに、図７−１のフローチャートを終了する。一方、充電予測時刻１０７ｅにおける充電を予測して省エネモードに移行しなかった視聴予約番組が存在している場合（ステップＳ７０１のＹＥＳ）、充電予測時刻１０７の時刻に至るまで待ち合わせて（ステップＳ７０２のＮＯ）、充電予測時刻１０７ｅの時刻に至った際に（ステップＳ７０２のＹＥＳ）、充電監視タイマをスタートさせる（ステップＳ７０３）。
【０１６２】
しかる後、充電監視タイマが、予め定められた或る一定時間を経過するまでの間に（ステップＳ７０６のＮＯ）、充電が開始されたか否かをチェックし（ステップＳ７０４）、充電が開始されていた場合（ステップＳ７０４のＹＥＳ）、充電予測時刻１０７ｅとして予測された通り、正常に充電が開始されたものとして、省エネモードへの移行動作などを不要とすると共に、充電開始時における処理を行なう（ステップＳ７０５）。しかる後、充電監視タイマを停止させる（ステップＳ７０８）。
【０１６３】
一方、充電が開始されないまま（ステップＳ７０４のＮＯ）、充電監視タイマが予め定められた或る一定時間を経過した場合（ステップＳ７０６のＹＥＳ）、ステップＳ７０１において検知された、充電予測時刻１０７ｅにおいて充電されることを予測した結果、省エネモードに移行しなかった視聴予約番組について、予測に反して充電がなされなかったものとして、図３のフローチャートのステップＳ３０１以降に示すような視聴判定処理を再度行ない（ステップＳ７０７）、視聴予約内容と電池残量とをチェックし直し、動作モードの変更などを実行する。しかる後、充電監視タイマを停止させる（ステップＳ７０８）。
【０１６４】
言い換えると、管理部１０５は、記憶部１０７に視聴予約された視聴予約番組に関する視聴予約情報１０７ａが登録されている場合であって、該視聴予約番組の放送開始までの間に、充電予測時刻１０７ｅとして記憶部１０７に予め設定されている日時が存在していた場合であっても、電池管理部１０３からの情報として、充電予測時刻１０７ｅとして設定されている該日時あるいは充電予測時刻１０７ｅから予め定められた一定時間が経過するまでの間に充電がなされなく（ステップＳ７０６のＹＥＳ）、視聴予約情報１０７ａの視聴予約番組の放送終了まで受信し提示可能な電池残量が残されていないか、あるいは、図７−１、図７−２には示していないが、第３実施形態において前述したように、充電がなされたとしても（ステップＳ７０４のＹＥＳ）、視聴予約情報１０７ａの視聴予約番組の放送終了まで受信し提示可能な電池残量にまで充電されていないと判定した場合も含めて、該視聴予約番組の放送終了まで受信し提示可能とするために、省エネモードに設定することも可能である。
【０１６５】
なお、ステップＳ７０５における充電開始処理とは、図７−２のフローチャートで示されるような処理である。即ち、まず、現在の動作モードが省エネモードであるか否かを判定し（ステップＳ７５１）、省エネモードであれば（ステップＳ７５１のＹＥＳ）、充電により、視聴予約番組を最後まで視聴可能な状態にまで、電池１０４の電力が回復するので、省エネモードのままに設定しておく必要はなく、省エネモードの設定を解除し、通常モードに復帰する（ステップＳ７５２）。
また、図７−１のフローチャートにおいては、充電監視タイマを停止させる処理（ステップＳ７０８）を充電開始時処理（ステップＳ７０５）及び視聴判定処理（ステップＳ７０７）の後に行なうようにしているが、かかる充電監視タイマの停止処理の順番を入れ替えて、充電開始時処理（ステップＳ７０５）及び視聴判定処理（ステップＳ７０７）に先立って行なうようにしても良い。
【０１６６】
以上のように、予め設定されている充電予測時刻１０７ｅの時刻に至っても、予測に反して充電がなされなかった場合には（ステップＳ７０６のＮＯ）、ステップＳ７０７における視聴判定処理により、該充電予測時刻１０７ｅ近傍における電池残量をチェックし直し、該電池残量によって視聴予約番組の視聴を可能とするように、省エネモードに設定することが可能であり、視聴予約番組を視聴することができる可能性をより大きくすることができる。
【０１６７】
〔第８実施形態〕
複数の放送番組について視聴予約を行なった場合において、図３に示したような視聴判定処理を順次行なっている場合、最新に、図３の視聴判定処理がなされた視聴予約番組が、視聴判定の優先順位として最も高く設定されてしまう。しかしながら、ＥＰＧ情報から得て記憶部１０７に格納された番組情報１０７ｂに基づいて行なわれる視聴予約は、一週間分の番組表の中から、各番組の放送日時に関係することなく、ランダムに行なうことが可能である。この結果として、最新に視聴予約された視聴予約番組よりも、以前に視聴予約されていた視聴予約番組の方を、より優先して視聴したいという場合も当然存在する。
【０１６８】
一方、複数の放送番組を視聴予約している場合において、複数の視聴予約番組の全てを視聴可能とする電池残量が残されていなかった場合には、視聴予約番組のうち、視聴優先順位の低いいくつかの放送番組の視聴は諦めなければならない可能性が生じる。かかる場合に対応可能とするための視聴優先順位付けに関する処理について、次に、第８実施形態として図８のフローチャートを用いて説明する。ここに、図８は、本発明に係る携帯テレビ受信装置の第８実施形態における動作を説明するためのフローチャートであり、第８実施形態における携帯テレビ受信装置の構成は、図１に示す携帯テレビ受信装置１００と同じ構成である。
【０１６９】
第８実施形態において、放送番組の視聴予約を行なう際に、当該放送番組を視聴する優先順位を優先度として放送番組毎に予め設定することを可能としている。例えば、深いレベルの省エネモードに設定しても、どうしても視聴したいと思っている視聴予約番組に対しては、優先度１を、優先度１の視聴予約番組を視聴可能な分の電池残量を残した上で、まだ電池残量に余力があれば、次に視聴をしたいと思っている放送番組に対しては、優先度２を、また、もし、視聴予約番組の放送開始時刻に至っても、電池残量がまだ残っていたならば、視聴したいと思っている放送番組に対しては、優先度３を、更には、最終的には視聴することができなくなる場合が生じたとしても、とりあえず視聴予約だけでもしておきたい放送番組に対しては、優先度４を、というように、ユーザが視聴したいと思う度合いに応じて、視聴優先順位をそれぞれ異なる優先度として設定することが可能である。
【０１７０】
ここで、視聴優先順位を優先度として各視聴予約番組に対して設定する契機については、放送番組の視聴予約を行なう際に、ユーザが該放送番組の優先度を同時に付与して、視聴予約の登録動作を行なうこととしても良いが、かかる場合は、常に、優先度を設定するという煩わしさが伴う。そこで、例えば、複数の視聴予約番組の全てについて視聴可能とする電池残量が残されていなかったことが検知された場合に限って、ユーザに優先度を設定させるようにしても良い。
【０１７１】
即ち、管理部１０５は、省エネモードに設定したとしても、視聴予約された全ての視聴予約番組の放送終了まで受信し提示可能とする電池残量が残されていないと判定した場合、記憶部１０７に登録されている複数の視聴予約情報１０７ａ全てを表示部１０８にリスト表示してユーザに通知し、リスト表示された複数の視聴予約情報１０７ａの視聴予約番組に関する視聴優先順位をユーザによって優先度として設定させるようにしても良い。
【０１７２】
図８のフローチャートにおいて、或る放送番組の視聴予約を行なった際に、管理部１０５は、まず、記憶部１０７に視聴予約情報１０７ａが登録されているか否かに基づいて、既に視聴予約されている視聴予約番組が存在しているか否かをチェックする（ステップＳ８０１）。まだ視聴予約されている視聴予約番組が存在していない場合は（ステップＳ８０１のＮＯ）、そのまま、視聴予約を行なおうとしている今回の新規視聴予約番組に対して、優先度１を設定して、図３に示すような視聴判定処理を実行する（ステップＳ８０２）。
【０１７３】
一方、既に視聴予約されている視聴予約番組が存在している場合（ステップＳ８０１のＹＥＳ）、既に登録されている視聴予約番組の全てを取り出して、あるいは、既に登録されている視聴予約番組の中で、記憶部１０７に予め設定されている充電予測時刻１０７ｅよりも以前に放送が開始される予定の視聴予約番組をピックアップして、今回新規に追加する新規視聴予約番組を含む視聴予約番組の全てについて、現在の電池残量と現在の動作モードとにより、視聴可能か否かを判定する（ステップＳ８０３）。ここで、今回新規に追加する新規視聴予約番組を含む視聴予約番組の全てについて視聴が可能であると判定された場合には（ステップＳ８０３のＹＥＳ）、今回追加した新規視聴予約番組の視聴予約をそのまま実行し、該新規視聴予約番組に関する視聴予約情報１０７ａを記憶部１０７に追加登録する（ステップＳ８０９）。
【０１７４】
しかし、今回新規に追加する新規視聴予約番組を含む視聴予約番組の全てについては、視聴することが不可能であると判定された場合には（ステップＳ８０３のＮＯ）、省エネモードの設定や該省エネモードのレベルを変更することにより、全ての視聴予約番組の視聴が可能になるか否かをチェックする（ステップＳ８０４）。ここで、今回新規に追加する新規視聴予約番組を含む全ての視聴予約番組の視聴が可能な省エネモードや該省エネモードのレベルが存在していた場合には（ステップＳ８０４のＹＥＳ）、全ての視聴予約番組の視聴が可能な省エネモードや該省エネモードのレベルに移行した後（ステップＳ８０５）、今回追加した新規視聴予約番組の視聴予約を実行し、該新規視聴予約番組に関する視聴予約情報１０７ａを記憶部１０７に追加登録する（ステップＳ８０９）。
【０１７５】
即ち、管理部１０５は、記憶部１０７に予め設定されている充電予測時刻１０７ｅの時刻に到達するまでの間に、放送される予定の複数の視聴予約番組に関する視聴予約情報１０７ａが記憶部１０７に登録されている場合であって、かつ、記憶部１０７に登録されている複数の視聴予約情報１０７ａの視聴予約番組の全てについては、現在の動作モードのままでは、受信し提示可能な電池残量が残されていないと判定した場合（ステップＳ８０３のＮＯ）、全ての視聴予約番組の放送終了まで受信し提示可能とする省エネモードが存在しているか否かを確認し、存在している場合（ステップＳ８０４のＹＥＳ）、全ての視聴予約番組の放送終了まで受信し提示可能とする省エネモード又は該省エネモードのレベルに変更して設定する。
【０１７６】
一方、今回新規に追加する新規視聴予約番組を含む全ての視聴予約番組の視聴が可能な省エネモードや該省エネモードのレベルが存在していない場合には（ステップＳ８０４のＮＯ）、省エネモードの最も深いレベルにおいて視聴可能となる視聴予約番組数まで、対象を優先度の低いものから順次視聴判定の対象外に設定して、視聴が可能となる対象の視聴予約番組数を減らしていく。なお、図８には示していないが、前述したように、全ての視聴予約番組の視聴が可能な省エネモードや該省エネモードのレベルが存在していない場合に（ステップＳ８０４のＮＯ）、初めて、今回新規に追加する新規視聴予約番組を含む全ての視聴予約番組に関する視聴予約情報１０７ａを表示部１０８にリスト表示して、ユーザによって、視聴優先順位を示す優先度の設定を行なわせる処理を行なうようにしても良い。
【０１７７】
而して、視聴判定の対象外に設定された優先度の低い視聴予約番組の受信及び提示動作により消費されると計算される電池消費量を、電池残量計算の対象から除外することにより、優先度が高い順に視聴可能な視聴予約番組として残すことが可能になる。最終的に、優先度が高い順位にある視聴予約番組に関する視聴予約情報１０７ａだけが視聴可能な放送番組として記憶部１０７の登録領域に残ることとなる。ここで、記憶部１０７の登録領域に登録されている視聴予約情報１０７ａの中から、対象外とされた優先度の低い視聴予約情報１０７ａの視聴予約番組のリストを表示部１０８に表示してユーザに提示し、対象外の視聴予約番組は視聴できない可能性がある旨を通知する（ステップＳ８０６）。
【０１７８】
即ち、管理部１０５は、ユーザによって設定された視聴優先順位が示す優先度に応じて、優先順位が高く設定されて、受信及び提示可能とされる視聴予約番組に関する視聴予約情報１０７ａは、記憶部１０７に登録した状態のまま維持する一方、優先順位が低く設定されて、受信及び提示が不可能とされる視聴予約番組に関する視聴予約情報１０７ａは、記憶部１０７の登録を削除し、該視聴予約番組の視聴予約を取り消すことになる。
【０１７９】
ここで、対象外とされた優先度の低い視聴予約情報１０７ａの視聴予約番組に関するユーザへの提示内容としては、例えば「現在の電池残量では、この放送番組の視聴をすると○○時○○分から始まる×××番組の視聴ができない可能性があります」や、あるいは、「今視聴予約しようとしている放送番組は現在の視聴優先順位では視聴できない可能性があります。視聴したい場合は視聴優先順位を調節してください」などの警告通知を行なうようにしても良い。
【０１８０】
該警告通知に対するユーザの意思を確認し（ステップＳ８０７）、対象外とされた該視聴予約番組の視聴予約の取り消しについてユーザの了承が得られた場合は（ステップＳ８０７のＹＥＳ）、対象外とされた該視聴予約番組の視聴予約を取り消す（ステップＳ８０８）。また、今回追加した新規視聴予約番組の優先度が高く設定されていて、視聴可能な放送番組として残されている場合には、今回追加した新規視聴予約番組の視聴予約を実行し、該新規視聴予約番組に関する視聴予約情報１０７ａを記憶部１０７に追加登録する（ステップＳ８０９）。一方、新規に追加した視聴予約番組の優先度が低く設定されていて、視聴予約の対象外とされた場合には、視聴予約は行なわれない。
【０１８１】
なお、ステップＳ８０７において、対象外とされた視聴予約番組の視聴予約の取り消しについてユーザの了承が得られなかった場合は（ステップＳ８０７のＮＯ）、対象外とされた視聴予約番組の視聴予約の取り消しを行なうことなく、そのまま今回追加した新規視聴予約番組の視聴予約を実行し、該新規視聴予約番組に関する視聴予約情報１０７ａを記憶部１０７に追加登録する（ステップＳ８０９）。かかる場合においては、放送開始時刻が早い視聴予約番組から順次視聴が可能な状態に設定されており、充電がなされない場合には、電池残量が消費され尽くした時点で、残りの視聴予約番組を視聴することができなくなる。
【０１８２】
なお、ステップＳ８０７において、ユーザが了承しない場合（ステップＳ８０７のＮＯ）、対象外とされた視聴予約番組のうち、残された他の視聴予約番組よりも優先して視聴したい視聴予約番組があれば、ユーザは、該視聴予約番組に付与されている優先度を変更して設定し直すことにより、再度、ステップＳ８０６以降の処理を繰り返すこととしても良い。
【０１８３】
また、図８に示す例においては、ステップＳ８０７において、対象外とされた視聴予約番組の視聴予約の取り消しについてユーザの了承を確認する場合について説明したが、かかる動作を行なうことなく、直ちに、視聴予約の取り消しを行なうようにしても良い。即ち、管理部１０５は、優先順位が低く設定されたために視聴予約番組の視聴予約を取り消す際に、該視聴予約番組の視聴予約を直ちに取り消すと共に、優先順位が低く設定されたために該視聴予約番組の視聴予約を取り消した旨を表示部１０８及び／又はスピーカ部１０６を介してユーザに通知する処理を行なうようにしても良い。
【０１８４】
また、ステップＳ８０８において、対象外とされて視聴予約番組の視聴予約を取り消す場合、第６実施形態において説明した場合と類似の処理を施し、対象外の視聴予約番組に関する視聴予約情報１０７ａに関して、予約取消番組情報として、記憶部１０７の退避領域１０７ｆに一旦退避した後で、記憶部１０７の登録領域から対象外の視聴予約情報１０７ａを削除するようにしても良い。かかる場合においては、記憶部１０７の登録領域に登録されている視聴予約番組に関する視聴予約情報１０７ａに変化などが生じた場合、記憶部１０７の退避領域１０７ｆに一旦退避されている予約取消番組情報が示す放送番組の中から、再度視聴予約したい放送番組を優先度に応じて選択して、視聴予約情報１０７ａとして再度追加登録し直すことも可能となる。
【０１８５】
あるいは、管理部１０５は、優先順位が低く設定されたために視聴予約番組の視聴予約を取り消す際に、該視聴予約番組に関する視聴予約情報１０７ａを、記憶部１０７の退避領域１０７ｆに、該視聴予約番組の放送開始時刻に至るまで、あるいは、放送終了時刻が経過するまで、予約取消番組情報として一旦退避し、ユーザから該視聴予約番組の優先順位の変更設定要求を受け付けた場合、再度、退避領域１０７ｆに該予約取消番組情報として退避されている該視聴予約番組に関する視聴予約情報１０７ａと記憶部１０７に登録されている視聴予約番組の視聴予約情報１０７ａとを表示部１０８にリスト表示してユーザに通知し、リスト表示された複数の視聴予約情報１０７ａの視聴予約番組に関する視聴優先順位をユーザによって設定し直すことができる。
【０１８６】
以上のように、視聴予約番組に視聴優先順位を付すことにより、ユーザが視聴したいと思う放送番組ほど、高い優先度に設定して、当該視聴予約番組の視聴可能な電池残量を確保しようとするため、電池残量を不安に思うことなく、視聴したい放送番組の視聴予約をより安全・確実に行なうことができる。
【０１８７】
〔第９実施形態〕
省エネモードとしては、適用する携帯テレビ受信装置の形態によって、前述したように、多くの省エネモードのレベルを設定することができる場合が考えられる。省エネモードの複数のレベルのうち、どの省エネモードのレベルに設定すると、視聴予約番組をどのくらい視聴することが可能な省エネ効果が得られるかという点に関しては、視聴予約直後でなくても、ユーザは、任意の時点で、簡単に確認したり、あるいは、設定されている省エネモードのレベルの設定変更を簡単に行ないたいという場合もある。
【０１８８】
かかる省エネモードのレベルの設定効果をユーザが簡単に理解できるようにするための表示モード設定方法について、第９実施形態として図２の表示イメージ図を用いて説明する。ここに、図２は、本発明に係る携帯テレビ受信装置における省エネモードのレベルの設定効果を画面表示した一例を示す表示イメージ図であり、図１に示す携帯テレビ受信装置１００の表示部１０８に表示される一例を示している。
【０１８９】
図２の表示イメージ図において、２０１は表示部１０８の表示画面であり、画面全体、もしくは、画面の一部分を示している。２０２は放送時刻を表すための時間軸を示す時間軸表示部であり、２０３は視聴予約した各視聴予約番組を示す視聴予約状況表示部であり、各視聴予約番組が時間軸表示部２０２の時間軸上のどの位置にどのくらいの長さ（放送時間帯）になっているかを放送開始時刻と放送終了時刻との画像パターンとして模式的に示している。即ち、視聴予約状況表示部２０３が示す各視聴予約番組のうち、時間軸表示部２０２の時間軸に沿って横に長い画像パターンほど、該視聴予約番組の放送時間帯が長いことを示している。
【０１９０】
２０４は省エネモードがオフである通常モードに設定されている状態における、電池残量を時間軸表示部２０２の時間軸に沿って電池残時間として示す通常モード電池残時間表示部であり、視聴予約番組の受信及び提示動作をしながら、現在時刻から時間軸表示部２０２の時間軸に対してどのあたりの時刻位置まで、電池残量が残されているかを一目で判断できるように画像パターンとして模式的に表示している。
【０１９１】
同様に、２０５，２０６はそれぞれ省エネモード１、省エネモード２を選択して設定されている状態における電池残時間を画像パターンとして模式的に示す省エネモード１電池残時間表示部、省エネモード２電池残時間表示部であり、省エネモード２が、省エネモード１よりも省エネ効果が大きい場合を示している。また、２０７は当該携帯テレビ受信装置１００に現在設定されている動作モードを示す選択モード指標部である。図２においては、選択モード指標部２０７が示す現在の動作モードとして省エネモード１が現在選択されて設定されていることを示している。
【０１９２】
２０８はユーザが行なう操作内容を示す操作ナビゲータ部であり、上下ボタン２０８ａにより選択モード指標部２０７が示す現在の動作モードを任意のモードに切り替えて選択することが可能であり、決定ボタン２０８ｂにより、上下ボタン２０８ａにより選択されている位置の動作モードを、当該携帯テレビ受信装置１００に現在の動作モードとして設定することを決定するようになっている。
【０１９３】
図２に例示する表示イメージ図のように、現在視聴予約している視聴予約番組と、動作モードを選択して設定した場合の電池残時間とがグラフ化されて、わかり易く画像パターンとして模式的に表示されているので、或る放送番組を視聴予約したいというような場合、ユーザは、現在の電池残量において視聴可能な動作モードを簡単に選択することができる。
【０１９４】
即ち、管理部１０５は、記憶部１０７に視聴予約された視聴予約番組に関する視聴予約情報１０７ａが登録されている場合、該視聴予約情報１０７ａの視聴予約番組毎の放送開始時刻及び放送終了時刻を表示部１０８に画像パターンとして模式的に画面表示すると共に、省エネモードが備えている複数のレベルのうち、或る１つのレベルに設定された場合に、該レベルにおいて現在の電池残量で給電継続が可能な時間を示す電池残時間を画像パターンとして模式的に画面表示することにより、画像パターンとして表示された電池残時間から、現在の電池残量で視聴可能な視聴予約番組との関係を視覚的に容易に把握することができる。
【０１９５】
また、管理部１０５は、記憶部１０７に視聴予約された視聴予約番組に関する視聴予約情報１０７ａを登録する際に、該視聴予約情報１０７ａの視聴予約番組の放送終了まで受信し提示可能な電池残量が残されていないと判定した場合、該視聴予約番組の放送終了まで受信し提示可能とする省エネモードのいずれかのレベルを選択して設定するように処理した様子も、図２のような表示イメージ図により、ユーザは、容易に把握することができる。
【０１９６】
更には、該視聴予約情報１０７ａの視聴予約番組が放送開始されるまでの間に、ユーザから何らかの操作指示が当該携帯テレビ受信装置１００に対してなされることにより、視聴予約された該視聴予約番組の放送終了まで受信し提示可能な電池残量が残されていないと判定した場合、該視聴予約番組の放送終了まで受信し提示可能とする省エネモードのいずれかのレベルを選択して設定するように処理した様子も、図２のような表示イメージ図により、ユーザは、容易に把握することができる。
【０１９７】
なお、図２のごとき表示イメージ図を表示部１０８に画面表示した場合であっても、更に、視聴予約番組の放送終了まで受信し提示可能とする省エネモードのいずれかのレベルを選択して設定した際に、設定された該省エネモードのレベルを表示部１０８の空き領域及び／又はスピーカ部１０６を介してユーザに改めて通知するようにしても良い。
【０１９８】
また、図２の表示イメージ図はあくまでも一例であり、例えば、それぞれの動作モードの電池残時間が同時には表示されずに、ユーザ操作として表示モードを切り替えることによって、いずれか指定された動作モードの電池残時間のみを表示するようにしても良いし、あるいは、省エネモードが備えている複数のレベルのうち、いずれかのレベルに切り替えて設定される都度、表示部１０８に画像パターンとして画面表示する電池残時間を切り替えて画面表示するようにしても良いし、あるいは、操作ナビゲータ部２０８に左右ボタンを追加表示して、該左右ボタンによって、視聴予約状況表示部２０３に表示されているいずれかの視聴予約番組を選択することを可能とし、選択された視聴予約番組に関する番組名や放送時間帯などの番組情報（視聴予約情報）を表示部１０８内の空きスペースに表示するようにしても良い。
【０１９９】
また、携帯テレビ受信装置１００に設定可能な動作モードとして省エネモードのレベルが更に多く備えられていても構わないし、あるいは、逆に、省エネモードが存在していない通常モードのみの場合であっても、現在の電池残時間と視聴予約されている視聴予約番組との関係が画像パターンとして模式的に示されているだけでも十分効果的である。
【０２００】
更には、図２の表示イメージ図には示していないが、省エネモードのレベルを変更することによって、視聴が不可能となる視聴予約番組が発生する場合には、省エネモードのレベルの変更操作がなされた時点で、その旨をユーザに通知する機能が備えられていても良いし、省エネモードのレベルの変更指示の操作がなされた際に、省エネモードの変更に先立って、例えば、「このレベル設定の変更により○○時○○分から始まる×××番組の視聴ができなくなる可能性があります」などのごとく、視聴が不可能となる視聴予約番組が発生する旨をユーザに警告通知し、ユーザの了承を得た段階で、省エネモードのレベル設定を変更するようにしても良い。
【０２０１】
即ち、管理部１０５は、記憶部１０７に視聴予約された視聴予約番組に関する視聴予約情報１０７ａが登録されている場合に、該視聴予約情報１０７ａの視聴予約番組が放送開始されるまでの間に、省エネモードが備えている複数のレベルのうち、いずれかのレベルに設定変更する指示がユーザからなされることにより、視聴予約された前記視聴予約番組の放送終了まで受信し提示可能な電池残量が残されなくなると判定した場合、ユーザによる省エネモードのレベルの設定変更により、該視聴予約番組の放送終了まで受信し提示することができなくなる可能性がある旨を表示部１０８の空き領域及び／又はスピーカ部１０６を介してユーザに警告通知することとし、ユーザの了承を得た段階で、省エネモードのレベル設定を変更するようにしても良い。
【０２０２】
なお、前述した各実施形態においては、説明していないが、図１の携帯テレビ受信装置１００のブロック構成図に示したように、本発明に係る携帯テレビ受信装置には、ユーザに対して警告通知を行なうために、警告用アイコン１０８ａや、警告表示用のＬＥＤ１１０が備えられている。例えば、視聴予約番組の放送終了まで受信し提示することができなくなる可能性がある旨を表示部１０８及び／又はスピーカ部１０６を介してユーザに警告用メッセージとして警告通知するに当たって、該警告用メッセージを出力すると同時に、あるいは、該警告用メッセージの代わりに、警告用アイコン１０８ａを表示部１０８の画面に点灯表示又は点滅表示させたり、又は、警告表示用のＬＥＤ１１０を点灯又は点滅させるようにすることも可能である。
【図面の簡単な説明】
【０２０３】
【図１】本発明に係る携帯テレビ受信装置の基本的な動作原理を説明するための概略構成例を示すブロック構成図である。
【図２】本発明に係る携帯テレビ受信装置における省エネモードのレベルの設定効果を画面表示した一例を示す表示イメージ図である。
【図３】本発明に係る携帯テレビ受信装置の第１乃至第３実施形態における動作を説明するためのフローチャートである。
【図４】本発明に係る携帯テレビ受信装置の第４実施形態における動作を説明するためのフローチャートである。
【図５】本発明に係る携帯テレビ受信装置の第５実施形態における動作を説明するためのフローチャートである。
【図６】本発明に係る携帯テレビ受信装置の第６実施形態における動作を説明するためのフローチャートである。
【図７−１】本発明に係る携帯テレビ受信装置の第７実施形態における充電の有無を監視する処理について説明するためのフローチャートである。
【図７−２】本発明に係る携帯テレビ受信装置の第７実施形態における充電開始時における処理について説明するためのフローチャートである。
【図８】本発明に係る携帯テレビ受信装置の第８実施形態における動作を説明するためのフローチャートである。
【符号の説明】
【０２０４】
１００…携帯テレビ受信装置、１０１…アンテナ部、１０２…チューナ部、１０３…電池管理部、１０４…電池、１０５…管理部、１０６…スピーカ部、１０７…記憶部、１０７ａ…視聴予約情報、１０７ｂ…番組情報、１０７ｃ…消費電力履歴情報、１０７ｄ…充電履歴情報、１０７ｅ…充電予測時刻、１０７ｆ…退避領域、１０８…表示部、１０８ａ…警告用アイコン、１０９…入力部、１１０…ＬＥＤ、２０１…表示画面、２０２…時間軸表示部、２０３…視聴予約状況表示部、２０４…通常モード電池残時間表示部、２０５…省エネモード１電池残時間表示部、２０６…省エネモード２電池残時間表示部、２０７…選択モード指標部、２０８…操作ナビゲータ部、２０８ａ…上下ボタン、２０８ｂ…決定ボタン。
【図１】
2005142796.tif 000003
【図２】
2005142796.tif 000004
【図３】
2005142796.tif 000005
【図４】
2005142796.tif 000006
【図５】
2005142796.tif 000007
【図６】
2005142796.tif 000008
【図７−１】
2005142796.tif 000009
【図７−２】
2005142796.tif 000010
【図８】
2005142796.tif 000011